(57)【要約】      （修正有）【課題】ワイヤレスプロトコルＩＥＥＥ ８０２．１１ａｘの低レートモードにおいて、復調性能を向上可能なダイバーシティ方法を提供する。【解決手段】ワイヤレス通信システムにおいて、ワイヤレス通信方法は、複数のシンボルを備えるパケットを生成９１０、順次セグメント化プロシージャ又は分散セグメント化プロシージャのうちの１つに従って、入力ビットベクトルを複数のシンボルベクトルにセグメント化９２０、順次分割プロシージャまたはラウンドロビン分割プロシージャのうちの１つに従って、複数のシンボルベクトルの各々を２つ以上の分割ベクトルに分割９３０、ブロックレベルの繰り返しまたはシンボルレベルの繰り返しのうちの１つに従って、分割ベクトルの各々を複数のシンボルにマッピングし９４０、パケットを送信する９５０。【選択図】図９
2020188468.tif 000002
【特許請求の範囲】
【請求項１】
ワイヤレス通信の方法であって、
ワイヤレスデバイスで、複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと、
前記パケットを送信することと
を備える、方法。
【請求項２】
前記複数のシンボルは、第１のデータレートを有する信号フィールドを備え、前記パケットは、前記第１のデータレート以上の第２のデータレートを有するデータ部分をさらに備える、
請求項１に記載の方法。
【請求項３】
前記入力ビットベクトルを前記複数のシンボルベクトルにセグメント化することは、Ｎ個の入力ビットの順次的なグループを各シンボルベクトルに順に割り振ることを備え、Ｎは、直交周波数分割多重（ＯＦＤＭ）シンボル当たりのビット数である、
請求項１に記載の方法。
【請求項４】
前記入力ビットベクトルを前記複数のシンボルベクトルにセグメント化することは、入力ビットの各々をＩモジュロＫ番目のシンボルベクトルに割り振ることを備え、Ｉは、各ビットのインデックス番号であり、Ｋは、前記入力ビットベクトルの長さを直交周波数分割多重（ＯＦＤＭ）シンボル当たりのビット数で除算した上限である、
請求項１に記載の方法。
【請求項５】
前記複数のシンボルベクトルの各々を２つ以上の分割ベクトルに分割することは、Ｎ／Ｒ個の入力ビットの順次的なグループを各分割ベクトルに順に割り振ることを備え、ここで、Ｒは、繰り返し係数である、
請求項１に記載の方法。
【請求項６】
前記複数のシンボルベクトルの各々を２つ以上の分割ベクトルに分割することは、各シンボルベクトルの各ビットを前記ＩモジュロＲ番目の分割ベクトルに割り振ることを備え、ここで、Ｒは、繰り返し係数であり、Ｉは、各ビットのインデックス番号である、
請求項１に記載の方法。
【請求項７】
前記分割ベクトルの各々を前記複数のシンボルにマッピングすることは、前記周波数領域中で、前記分割ベクトルの各々を単一の時間領域シンボルにわたって繰り返すことを備える、
請求項１に記載の方法。
【請求項８】
スクランブリングシーケンスを各分割ベクトルの１つのコピーに適用することをさらに備える、
請求項７に記載の方法。
【請求項９】
前記分割ベクトルの各々を前記複数のシンボルにマッピングすることは、前記周波数領域中で、前記分割ベクトルの各々を複数の時間領域シンボルにわたって繰り返すことを備える、
請求項１に記載の方法。
【請求項１０】
前記分割ベクトルの各々を前記複数のシンボルにマッピングすることは、前記分割ベクトルの各々を、複数の時間領域シンボルにわたって繰り返すことを備える、
請求項１に記載の方法。
【請求項１１】
ワイヤレス通信を行うように構成される装置であって、
複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと
を行うように構成されたプロセッサと、
前記パケットを送信するように構成された送信機と
を備える、装置。
【請求項１２】
前記複数のシンボルは、第１のデータレートを有する信号フィールドを備え、前記パケットは、前記第１のデータレート以上の第２のデータレートを有するデータ部分をさらに備える、
請求項１１に記載の装置。
【請求項１３】
前記プロセッサは、Ｎ個の入力ビットの順次的なグループを各シンボルベクトルに順に割り振るように構成されることによって、前記入力ビットベクトルを前記複数のシンボルベクトルにセグメント化するように構成され、Ｎは、直交周波数分割多重（ＯＦＤＭ）シンボル当たりのビット数である、
請求項１１に記載の装置。
【請求項１４】
前記プロセッサは、入力ビットの各々をＩモジュロＫ番目のシンボルベクトルに割り振るように構成されることによって、前記入力ビットベクトルを前記複数のシンボルベクトルにセグメント化するように構成され、Ｉは、各ビットのインデックス番号であり、Ｋは、前記入力ビットベクトルの長さを直交周波数分割多重（ＯＦＤＭ）シンボル当たりのビット数で除算した上限である、
請求項１１に記載の装置。
【請求項１５】
前記プロセッサは、Ｎ／Ｒ個の入力ビットの順次的なグループを各分割ベクトルに順に割り振るように構成されることによって、前記複数のシンボルベクトルの各々を２つ以上の分割ベクトルに分割するように構成され、ここで、Ｒは、繰り返し係数である、
請求項１１に記載の装置。
【請求項１６】
前記プロセッサは、各シンボルベクトルの各ビットを前記ＩモジュロＲ番目の分割ベクトルに割り振るように構成されることによって、前記複数のシンボルベクトルの各々を２つ以上の分割ベクトルに分割するように構成され、ここで、Ｒは繰り返し係数であり、Ｉは各ビットのインデックス番号である、
請求項１１に記載の装置。
【請求項１７】
前記プロセッサは、前記周波数領域中で、前記分割ベクトルの各々を単一の時間領域シンボルにわたって繰り返すように構成されることによって、前記分割ベクトルの各々を前記複数のシンボルにマッピングするように構成される、
請求項１１に記載の装置。
【請求項１８】
前記プロセッサは、スクランブリングシーケンスを各分割ベクトルの１つのコピーに適用するようにさらに構成される、
請求項１７に記載の装置。
【請求項１９】
前記プロセッサは、前記周波数領域中で、前記分割ベクトルの各々を複数の時間領域シンボルにわたって繰り返すように構成されることによって、前記分割ベクトルの各々を前記複数のシンボルにマッピングするように構成される、
請求項１１に記載の装置。
【請求項２０】
前記プロセッサは、前記分割ベクトルの各々を、複数の時間領域シンボルにわたって繰り返すように構成されることによって、前記分割ベクトルの各々を前記複数のシンボルにマッピングするように構成される、
請求項１１に記載の装置。
【請求項２１】
ワイヤレス通信のための装置であって、
複数のシンボルを備えるパケットを生成するための手段と、
順次セグメント化プロシージャまたは分散セグメント化プロシージャのうちの１つに従って、入力ビットベクトルを複数のシンボルベクトルにセグメント化するための手段と、
順次分割プロシージャまたはラウンドロビン分割プロシージャのうちの１つに従って、前記複数のシンボルベクトルの各々を２つ以上の分割ベクトルに分割するための手段と、
ブロックレベルの繰り返しまたはシンボルレベルの繰り返しのうちの１つに従って、前記分割ベクトルの各々を前記複数のシンボルにマッピングするための手段と、
前記パケットを送信するための手段と
を備える、装置。
【請求項２２】
非一時的コンピュータ可読媒体であって、実行される場合、装置に、
複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと、
前記パケットを送信することと
を行わせるコードを備える、非一時的コンピュータ可読媒体。
【発明の詳細な説明】
【技術分野】
【０００１】
[0001]  本開示のある特定の態様は、一般に、ワイヤレス通信に関し、より具体的には、ワイヤレスネットワークにおける混合レート通信のための方法および装置に関する。
【背景技術】
【０００２】
[0002]  多くの電気通信システムでは、いくつかの相互作用する空間的に隔てられたデバイス間でメッセージを交換するために、通信ネットワークが使用される。ネットワークは、地理的範囲に従って分類され得、それは、例えば、メトロポリタンエリア、ローカルエリア、またはパーソナルエリアであり得る。このようなネットワークは、ワイドエリアネットワーク（ＷＡＮ）、メトロポリタンエリアネットワーク（ＭＡＮ）、ローカルエリアネットワーク（ＬＡＮ）、またはパーソナルエリアネットワーク（ＰＡＮ）にそれぞれ指定され得る。ネットワークはまた、様々なネットワークノードおよびデバイスを相互接続するために使用される交換／ルーティング技法（例えば、回線交換対パケット交換）、送信のために用いられる物理媒体のタイプ（例えば、ワイヤード対ワイヤレス）、および使用される通信プロトコルのセット（例えば、インターネットプロトコルスイート、ＳＯＮＥＴ（同期型光ネットワーキング）、イーサネット（登録商標）など）に従って異なる。
【０００３】
[0003]  ワイヤレスネットワークは、ネットワーク要素が移動式であり、これにより動的接続のニーズがある場合に、またはネットワークアーキテクチャが、固定式というよりはむしろ、アドホックのトポロジにおいて形成されるときに好まれることが多い。ワイヤレスネットワークは、無線、マイクロ波、赤外線、光などの周波数帯域における電磁波を使用して、無誘導伝搬モード（unguided propagation mode）で無形物理媒体を用いる。ワイヤレスネットワークは、固定されたワイヤードネットワークと比較して、ユーザモビリティおよび高速なフィールド展開を有利に促進する。
【０００４】
[0004]  複数のデバイス間でワイヤレスに通信される情報の量や複雑性が増加し続けるにつれて、物理レイヤ制御信号のために要求されるオーバヘッド帯域幅は、少なくとも直線的に増加し続けている。物理レイヤ制御情報を搬送するために利用されるビット数は、要求されるオーバヘッドのかなりの部分となっている。そのため、特に、複数のタイプのトラフィックがアクセスポイントから複数の端末に同時に送られる際に、制限された通信リソースを用いて、この物理レイヤ制御情報を搬送するために要求されるビット数を低減することが望ましい。例えば、ワイヤレスデバイスが低レートアップリンク通信をアクセスポイントに送るときに、後方互換性を維持する一方、シグナリングおよびパケット取得のために使用されるビット数を最小化することが望ましい。よって、混合レート送信のための改善されたプロトコルの必要性が存在する。
【発明の概要】
【０００５】
[0005]  添付の特許請求の範囲内のシステム、方法、およびデバイスの様々な実装は、いくつかの態様を各々有しており、これらのうちのどれ１つとして、単独で本明細書で説明される望ましい属性（attributes）を担うものではない。添付の特許請求の範囲を限定することなく、いくつかの特徴が本明細書で説明される。
【０００６】
[0006]  本明細書で説明される主題の１つまたは複数の実装の詳細は、添付の図面および下記の説明に記載される。他の特徴、様態、および利点が、説明、図面、および請求項から明らかになるだろう。以下の図面の相対的な寸法は原寸通りに描かれていないことに留意されたい。
【０００７】
[0007]  本開示の１つの態様は、ワイヤレス通信の方法を提供する。方法は、ワイヤレスデバイスが、複数のシンボルを含むパケットを生成することを含む。方法は、順次セグメント化プロシージャまたは分散セグメント化プロシージャのうちの１つに従って、入力ビットベクトルを複数のシンボルベクトルにセグメント化することをさらに含む。方法は、順次分割プロシージャまたはラウンドロビン分割プロシージャのうちの１つに従って、複数のシンボルベクトルの各々を２つ以上の分割ベクトルに分割することをさらに含む。方法は、ブロックレベルの繰り返しまたはシンボルレベルの繰り返しのうちの１つに従って、分割ベクトルの各々を複数のシンボルにマッピングすることをさらに含む。方法は、パケットを送信することをさらに含む。
【０００８】
[0008]  様々な実施形態では、複数のシンボルは、第１のデータレートを有する信号フィールドを含み得、パケットは、第１のデータレート以上の第２のデータレートを有するデータ部分をさらに含み得る。様々な実施形態では、入力ビットベクトルを複数のシンボルベクトルにセグメント化することは、Ｎ個の入力ビットの順次的なグループを各シンボルベクトルに順に割り振ることを含み得、ここにおいて、Ｎは、直交周波数分割多重（ＯＦＤＭ）シンボル当たりのビット数である。様々な実施形態では、入力ビットベクトルを複数のシンボルベクトルにセグメント化することは、入力ビットの各々をＩモジュロＫ番目のシンボルベクトルに割り振ることを含み得、ここにおいて、Ｉは各ビットのインデックス番号であり、Ｋは入力ビットベクトルの長さを直交周波数分割多重（ＯＦＤＭ）シンボル当たりのビット数で除算した上限である。
【０００９】
[0009]  様々な実施形態では、複数のシンボルベクトルの各々を２つ以上の分割ベクトルに分割することは、Ｎ／Ｒ個の入力ビットの順次的なグループを各分割ベクトルに順に割り振ることを含み得、ここで、Ｒは繰り返し係数（repetition factor）である。様々な実施形態では、複数のシンボルベクトルの各々を２つ以上の分割ベクトルに分割することは、各シンボルベクトルの各ビットをＩモジュロＲ番目の分割ベクトルに割り振ることを含み得、ここで、Ｒは繰り返し係数であり、Ｉは各ビットのインデックス番号である。
【００１０】
[0010]  様々な実施形態では、分割ベクトルの各々を複数のシンボルにマッピングすることは、周波数領域中で、分割ベクトルの各々を単一の時間領域シンボルにわたって繰り返すことを含み得る。様々な実施形態では、方法は、スクランブリングシーケンスを各分割ベクトルの１つのコピーに適用することをさらに含み得る。
【００１１】
[0011]  様々な実施形態では、分割ベクトルの各々を複数のシンボルにマッピングすることは、周波数領域中で、分割ベクトルの各々を複数の時間領域シンボルにわたって繰り返すことを含み得る。様々な実施形態では、分割ベクトルの各々を複数のシンボルにマッピングすることは、分割ベクトルの各々を、複数の時間領域シンボルにわたって繰り返すことを含み得る。
【００１２】
[0012]  別の態様は、ワイヤレス通信を行うように構成された装置を提供する。装置は、複数のシンボルを含むパケットを生成するように構成されたプロセッサを含む。プロセッサは、順次セグメント化プロシージャまたは分散セグメント化プロシージャのうちの１つに従って、入力ビットベクトルを複数のシンボルベクトルにセグメント化するようにさらに構成される。プロセッサは、順次分割プロシージャまたはラウンドロビン分割プロシージャのうちの１つに従って、複数のシンボルベクトルの各々を２つ以上の分割ベクトルに分割するようにさらに構成される。プロセッサは、ブロックレベルの繰り返しまたはシンボルレベルの繰り返しのうちの１つに従って、分割ベクトルの各々を複数のシンボルにマッピングするようにさらに構成される。装置は、パケットを送信するように構成された送信機をさらに含む。
【００１３】
[0013]  様々な実施形態では、複数のシンボルは、第１のデータレートを有する信号フィールドを含み得、パケットは、第１のデータレート以上の第２のデータレートを有するデータ部分をさらに含み得る。様々な実施形態では、入力ビットベクトルを複数のシンボルベクトルにセグメント化することは、Ｎ個の入力ビットの順次的なグループを各シンボルベクトルに順に割り振ることを含み得、ここにおいて、Ｎは、直交周波数分割多重（ＯＦＤＭ）シンボル当たりのビット数である。様々な実施形態では、入力ビットベクトルを複数のシンボルベクトルにセグメント化することは、入力ビットの各々をＩモジュロＫ番目のシンボルベクトルに割り振ることを含み得、ここにおいて、Ｉは各ビットのインデックス番号であり、Ｋは入力ビットベクトルの長さを直交周波数分割多重（ＯＦＤＭ）シンボル当たりのビット数で除算した上限である。
【００１４】
[0014]  様々な実施形態では、複数のシンボルベクトルの各々を２つ以上の分割ベクトルに分割することは、Ｎ／Ｒ個の入力ビットの順次的なグループを各分割ベクトルに順に割り振ることを含み得、ここで、Ｒは繰り返し係数である。様々な実施形態では、複数のシンボルベクトルの各々を２つ以上の分割ベクトルに分割することは、各シンボルベクトルの各ビットをＩモジュロＲ番目の分割ベクトルに割り振ることを含み得、ここで、Ｒは繰り返し係数であり、Ｉは各ビットのインデックス番号である。
【００１５】
[0015]  様々な実施形態では、分割ベクトルの各々を複数のシンボルにマッピングすることは、周波数領域中で、分割ベクトルの各々を単一の時間領域シンボルにわたって繰り返すことを含み得る。様々な実施形態では、装置は、スクランブリングシーケンスを各分割ベクトルの１つのコピーに適用することをさらに含み得る。
【００１６】
[0016]  様々な実施形態では、分割ベクトルの各々を複数のシンボルにマッピングすることは、周波数領域中で、分割ベクトルの各々を複数の時間領域シンボルにわたって繰り返すことを含み得る。様々な実施形態では、分割ベクトルの各々を複数のシンボルにマッピングすることは、分割ベクトルの各々を、複数の時間領域シンボルにわたって繰り返すことを含み得る。
【００１７】
[0017]  別の態様は、ワイヤレス通信のための別の装置を提供する。装置は、複数のシンボルを含むパケットを生成するための方法を含む。装置は、順次セグメント化プロシージャまたは分散セグメント化プロシージャのうちの１つに従って、入力ビットベクトルを複数のシンボルベクトルにセグメント化するための手段をさらに含む。装置は、順次分割プロシージャまたはラウンドロビン分割プロシージャのうちの１つに従って、複数のシンボルベクトルの各々を２つ以上の分割ベクトルに分割するための手段をさらに含む。装置は、ブロックレベルの繰り返しまたはシンボルレベルの繰り返しのうちの１つに従って、分割ベクトルの各々を複数のシンボルにマッピングするための手段をさらに含む。装置は、パケットを送信するための手段をさらに含む。
【００１８】
[0018]  様々な実施形態では、複数のシンボルは、第１のデータレートを有する信号フィールドを含み得、パケットは、第１のデータレート以上の第２のデータレートを有するデータ部分をさらに含み得る。様々な実施形態では、入力ビットベクトルを複数のシンボルベクトルにセグメント化するための手段は、Ｎ個の入力ビットの順次的なグループを各シンボルベクトルに順に割り振るための手段を含み得、ここにおいて、Ｎは、直交周波数分割多重（ＯＦＤＭ）シンボル当たりのビット数である。様々な実施形態では、入力ビットベクトルを複数のシンボルベクトルにセグメント化するための手段は、入力ビットの各々をＩモジュロＫ番目のシンボルベクトルに割り振るための手段を含み得、ここにおいて、Ｉは各ビットのインデックス番号であり、Ｋは入力ビットベクトルの長さを直交周波数分割多重（ＯＦＤＭ）シンボル当たりのビット数で除算した上限である。
【００１９】
[0019]  様々な実施形態では、複数のシンボルベクトルの各々を２つ以上の分割ベクトルに分割するための手段は、Ｎ／Ｒ個の入力ビットの順次的なグループを各分割ベクトルに順に割り振るための手段を含み得、ここで、Ｒは繰り返し係数である。様々な実施形態では、複数のシンボルベクトルの各々を２つ以上の分割ベクトルに分割するための手段は、各シンボルベクトルの各ビットをＩモジュロＲ番目の分割ベクトルに割り振るための手段を含み得、ここで、Ｒは繰り返し係数であり、Ｉは各ビットのインデックス番号である。
【００２０】
[0020]  様々な実施形態では、分割ベクトルの各々を複数のシンボルにマッピングするための手段は、周波数領域中で、分割ベクトルの各々を単一の時間領域シンボルにわたって繰り返すための手段を含み得る。様々な実施形態では、装置は、スクランブリングシーケンスを各分割ベクトルの１つのコピーに適用するための手段をさらに含み得る。
【００２１】
[0021]  様々な実施形態では、分割ベクトルの各々を複数のシンボルにマッピングするための手段は、分割ベクトルの各々を、周波数領域中で複数の時間領域シンボルにわたって繰り返すための手段を含み得る。様々な実施形態では、分割ベクトルの各々を複数のシンボルにマッピングするための手段は、分割ベクトルの各々を、複数の時間領域シンボルにわたって繰り返すための手段を含み得る。
【００２２】
[0022]  別の態様は、非一時的コンピュータ可読媒体を提供する。媒体は、実行されると、装置に、複数のシンボルを含むパケットを生成させるコードを含む。媒体は、実行されると、装置に、順次セグメント化プロシージャまたは分散セグメント化プロシージャのうちの１つに従って、入力ビットベクトルを複数のシンボルベクトルにセグメント化させるコードをさらに含む。媒体は、実行されると、装置に、順次分割プロシージャまたはラウンドロビン分割プロシージャのうちの１つに従って、複数のシンボルベクトルの各々を２つ以上の分割ベクトルに分割させるコードをさらに含む。媒体は、実行されると、装置に、ブロックレベルの繰り返しまたはシンボルレベルの繰り返しのうちの１つに従って、分割ベクトルの各々を複数のシンボルにマッピングさせるコードをさらに含む。媒体は、実行されると、装置に、パケットを送信させるコードをさらに含む。
【００２３】
[0023]  様々な実施形態では、複数のシンボルは、第１のデータレートを有する信号フィールドを含み得、パケットは、第１のデータレート以上の第２のデータレートを有するデータ部分をさらに含む。様々な実施形態では、入力ビットベクトルを複数のシンボルベクトルにセグメント化することは、Ｎ個の入力ビットの順次的なグループを各シンボルベクトルに順に割り振ることを含み得、ここにおいて、Ｎは、直交周波数分割多重（ＯＦＤＭ）シンボル当たりのビット数である。様々な実施形態では、入力ビットベクトルを複数のシンボルベクトルにセグメント化することは、入力ビットの各々をＩモジュロＫ番目のシンボルベクトルに割り振ることを含み得、ここにおいて、Ｉは各ビットのインデックス番号であり、Ｋは入力ビットベクトルの長さを直交周波数分割多重（ＯＦＤＭ）シンボル当たりのビット数で除算した上限である。
【００２４】
[0024]  様々な実施形態では、複数のシンボルベクトルの各々を２つ以上の分割ベクトルに分割することは、Ｎ／Ｒ個の入力ビットの順次的なグループを各分割ベクトルに順に割り振ることを含み得、ここで、Ｒは繰り返し係数である。様々な実施形態では、複数のシンボルベクトルの各々を２つ以上の分割ベクトルに分割することは、各シンボルベクトルの各ビットをＩモジュロＲ番目の分割ベクトルに割り振ることを含み得、ここで、Ｒは繰り返し係数であり、Ｉは各ビットのインデックス番号である。
【００２５】
[0025]  様々な実施形態では、分割ベクトルの各々を複数のシンボルにマッピングすることは、周波数領域中で、分割ベクトルの各々を単一の時間領域シンボルにわたって繰り返すことを含み得る。様々な実施形態では、媒体は、スクランブリングシーケンスを各分割ベクトルの１つのコピーに適用することをさらに含み得る。
【００２６】
[0026]  様々な実施形態では、分割ベクトルの各々を複数のシンボルにマッピングすることは、周波数領域中で、分割ベクトルの各々を複数の時間領域シンボルにわたって繰り返すことを含み得る。様々な実施形態では、分割ベクトルの各々を複数のシンボルにマッピングすることは、分割ベクトルの各々を、複数の時間領域シンボルにわたって繰り返すことを含み得る。
【図面の簡単な説明】
【００２７】
【図１】図１は、本開示の態様が用いられ得るワイヤレス通信システムの例を図示する。
【図２】図２は、図１のワイヤレス通信システム内で用いられ得るワイヤレスデバイスにおいて利用され得る、様々なコンポーネントを図示する。
【図３】図３は、８０２．１１システムについて利用可能なチャネルのためのチャネル割り振りを図示する。
【図４】図４は、いくつかの既存のＩＥＥＥ ８０２．１１規格のためのデータパケットフォーマットを図示する。
【図５】図５は、いくつかの既存のＩＥＥＥ ８０２．１１規格のためのデータパケットフォーマットを図示する。
【図６】図６は、既存のＩＥＥＥ ８０２．１１ａｃ規格のためのフレームフォーマットを図示する。
【図７】図７は、後方互換性のある多元接続ワイヤレス通信を可能にするために使用され得る物理レイヤパケットの例示的な構造を図示する。
【図８】図８は、ある実施形態に従った、データの繰り返しを含む例示的なシンボルパッキング処理フローを図示する。
【図９】図９は、図１のワイヤレス通信システム内で用いられ得るワイヤレス通信の例示的な方法についてのフローチャートを示す。
【詳細な説明】
【００２８】
[0035]  新規のシステム、装置、および方法の様々な態様が、添付の図面を参照して下記にさらに十分に説明される。しかしながら、これら教示は、多くの異なる形式で具現化され得、本開示全体を通して提示されるいずれかの具体的な構成または機能に限定されるものとして解釈されるべきではない。むしろ、これらの態様は、本開示が徹底的かつ完全なものとなり、本開示の範囲が当業者に十分に伝わるように提供される。本明細書における教示に基づいて、本開示の範囲が、本発明の任意の他の態様から独立して実施されようと、あるいは組み合わされて実施されようと、本明細書において開示される新規のシステム、装置、および方法の任意の態様をカバーするよう意図されていることを、当業者は理解するべきである。例えば、本明細書に説明された任意の数の態様を使用して、装置が実装され、または方法が実施され得る。加えて、本発明の範囲は、本明細書で説明される本発明の様々な態様に加えて、またはそれ以外の、他の構造、機能、または構造と機能を使用して実施されるこのような装置または方法をカバーするよう意図されている。本明細書で開示される任意の態様は、請求項の１つまたは複数の要素によって具現化され得ることが理解されるべきである。
【００２９】
[0036]  特定の態様が本明細書で説明されるが、これらの態様の多くのバリエーションおよび置換が、本開示の範囲内に含まれる。好ましい態様のいくつかの利益および利点が述べられるが、本開示の範囲が特定の利益、使用、または目的に限定されることが意図されるものではない。むしろ、本開示の態様は、異なるワイヤレス技術、システム構成、ネットワーク、および送信プロトコルに広く適用可能であることが意図されており、そのいくつかは、図面および好ましい態様の下記の説明において例として図示される。詳細な説明および図面は、限定ではなくむしろ本開示の単なる例示であり、本開示の範囲は、添付の請求項およびそれらの均等物によって定義される。
【００３０】
[0037]  ワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近隣のデバイスをともに相互接続するために使用され得る。本明細書で説明される様々な態様は、ＷｉＦｉ、またはより一般的には、ワイヤレスプロトコルのＩＥＥＥ ８０２．１１ファミリの任意のメンバのような、任意の通信規格に適用され得る。例えば、本明細書で説明される様々な態様は、直交周波数分割多元接続（ＯＦＤＭＡ）通信をサポートする８０２．１１プロトコルのような、ＩＥＥＥ ８０２．１１プロトコルの一部として使用され得る。
【００３１】
[0038]  ＳＴＡのような複数のデバイスは、ＡＰと同時に通信することを可能にするために有益であり得る。例えば、これは、複数のＳＴＡがＡＰからの応答をより短い時間で受信することを可能にし得、より短い遅延でＡＰからデータを送信および受信することができる。これは、ＡＰが全体的により多くの数のデバイスと通信することも可能にし、また帯域幅の利用をより効率的に行い得る。多元接続通信を使用することによって、ＡＰは、例えば、８０ＭＨｚ帯域幅を介して一度に４つのデバイスにＯＦＤＭシンボルを多重化することが可能であり得、ここで、各デバイスは、２０ＭＨｚ帯域幅を利用する。すなわち、それに対して利用可能なスペクトルのより効率的な使用を行うことを可能にし得るため、多元接続は、いくつかの態様において有益であり得る。
【００３２】
[0039]  ＡＰとＳＴＡとの間で送信されるシンボルの異なるサブキャリア（またはトーン）を異なるＳＴＡに割り当てることによって、８０２．１１ファミリのようなＯＦＤＭシステムにおいて、このような多元接続プロトコルを実施することが提案されている。この方法では、ＡＰは、単一の送信されたＯＦＤＭシンボルを用いて複数のＳＴＡと通信し得、ここで、シンボルの異なるトーンは、異なるＳＴＡによって復号および処理され、そのため、複数のＳＴＡへの同時データ転送を可能にする。これらのシステムは、ＯＦＤＭＡシステムと呼ばれることが多い。
【００３３】
[0040]  このようなトーン割り振り方式は、本明細書では「高効率（high-efficiency）」（ＨＥ）システムと呼ばれ、このような複数のトーン割り振りシステムで送信されるデータパケットは、高効率（ＨＥ）パケットと呼ばれ得る。後方互換性のあるプリアンブルフィールドを含むこのようなパケットの様々な構造が、下記で詳細に説明される。
【００３４】
[0041]  新規のシステム、装置、および方法の様々な態様が、添付の図面を参照して下記にさらに十分に説明される。しかしながら、本開示は、多くの異なる形式で具現化され得、本開示全体を通して提示されるいずれかの具体的な構成または機能に限定されるものとして解釈されるべきではない。むしろ、これらの態様は、本開示が徹底的かつ完全なものとなり、本開示の範囲が当業者に十分に伝わるように提供される。本明細書における教示に基づいて、本開示の範囲が、本発明の任意の他の態様から独立して実施されようと、あるいは組み合わされて実施されようと、本明細書において開示される新規のシステム、装置、および方法の任意の態様をカバーするよう意図されていることを、当業者は理解するべきである。例えば、本明細書に説明された任意の数の態様を使用して、装置が実装され、または方法が実施され得る。加えて、本発明の範囲は、本明細書で説明される本発明の様々な態様に加えて、またはそれ以外の、他の構造、機能、または構造と機能を使用して実施されるこのような装置または方法をカバーするよう意図されている。本明細書で開示される任意の態様は、請求項の１つまたは複数の要素によって具現化され得ることが理解されるべきである。
【００３５】
[0042]  特定の態様が本明細書で説明されるが、これらの態様の多くのバリエーションおよび置換が、本開示の範囲内に含まれる。好ましい態様のいくつかの利益および利点が述べられるが、本開示の範囲が特定の利益、使用、または目的に限定されることが意図されるものではない。むしろ、本開示の態様は、異なるワイヤレス技術、システム構成、ネットワーク、および送信プロトコルに広く適用可能であることが意図されており、そのいくつかは、図面および好ましい態様の下記の説明において例として図示される。詳細な説明および図面は、限定ではなくむしろ本開示の単なる例示であり、本開示の範囲は、添付の請求項およびそれらの均等物によって定義される。
【００３６】
[0043]  一般的なワイヤレスネットワーク技術は、様々なタイプのワイヤレスローカルエリアネットワーク（ＷＬＡＮ）を含み得る。ＷＬＡＮは、広く使用されるネットワーキングプロトコルを用いて、近隣のデバイスをともに相互接続するために使用され得る。本明細書で説明される様々な態様は、ワイヤレスプロトコルのような、任意の通信規格に適用され得る。
【００３７】
[0044]  いくつかの態様では、ワイヤレス信号は、８０２．１１プロトコルに従って送信され得る。いくつかの実装では、ＷＬＡＮは、ワイヤレスネットワークにアクセスするコンポーネントである様々なデバイスを含む。例えば、アクセスポイント（「ＡＰ」）とクライアント（局、または「ＳＴＡ」とも呼ばれる）との２つのタイプのデバイスが存在し得る。一般に、ＡＰは、ＷＬＡＮのためのハブまたは基地局としての役割を果たし、ＳＴＡは、ＷＬＡＮのユーザとしての役割を果たす。例えば、ＳＴＡは、ラップトップコンピュータ、携帯情報端末（ＰＤＡ）、モバイルフォンなどであり得る。一例では、ＳＴＡは、インターネットまたは他のワイドエリアネットワークへの一般的な接続を得るためにワイヤレスリンクに準拠したＷｉＦｉを介してＡＰに接続する。いくつかの実装では、ＳＴＡはまた、ＡＰとしても使用され得る。
【００３８】
[0045]  アクセスポイント（ＡＰ）はまた、基地局、ワイヤレスアクセスポイント、アクセスノード、または同様の専門用語として知られ、実施され、またはこれらを含み得る。
【００３９】
[0046]  局「ＳＴＡ」はまた、アクセス端末（「ＡＴ」）、加入者局、加入者ユニット、モバイル局、遠隔局、遠隔端末、ユーザ端末、ユーザエージェント、ユーザデバイス、ユーザ機器、または何らかの他の専門用語として知られ、実施され、またはこれらを含み得る。従って、本明細書で教示される１つまたは複数の態様は、電話（例えば、セルラフォンまたはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、あるいは衛星ラジオ）、ゲームデバイスまたはシステム、全地球測位システムデバイス、またはワイヤレス媒体を介するネットワーク通信のために構成された任意の他の適切なデバイスに組み込まれ得る。
【００４０】
[0047]  上述されるように、本明細書で説明されるデバイスのうちのある特定のものは、例えば、８０２．１１規格を実施し得る。このようなデバイスは、ＳＴＡまたはＡＰとして使用されようと、あるいは他のデバイスとして使用されようと、スマートメータリングのために、またはスマートグリッドネットワーク（smart grid network）において使用され得る。このようなデバイスは、センサアプリケーションを提供し得るか、またはホームオートメーション（home automation）で使用され得る。これらデバイスは、代わりにまたは加えて、例えば、個人のヘルスケアのためにヘルスケアコンテキストにおいて使用され得る。これらはまた、（例えば、ホットスポットとともに使用するために）拡張された範囲のインターネット接続を可能にするための、または機械間の通信を実施するための、監視（surveillance）のために使用され得る。
【００４１】
[0048]  図１は、本開示の態様が用いられ得るワイヤレス通信システムの例１００を図示する。ワイヤレス通信システム１００は、例えば、８０２．１１ａｈ、８０２．１１ａｃ、８０２．１１ｎ、８０２．１１ｇ、および８０２．１１ｂ規格のうちの少なくとも１つのワイヤレス規格に準じて動作し得る。ワイヤレス通信システム１００は、例えば、８０２．１１ａｘ規格のような高効率ワイヤレス規格に準じて動作し得る。ワイヤレス通信システム１００は、ＡＰ １０４を含み得、それは、ＳＴＡ １０６Ａ−１０６Ｄ（本明細書では、総称してＳＴＡ １０６と呼ばれ得る）と通信する。
【００４２】
[0049]  様々な処理および方法が、ワイヤレス通信システム１００における送信のために、ＡＰ １０４とＳＴＡ １０６Ａ−１０６Ｄとの間で使用され得る。例えば、信号は、ＯＦＤＭ／ＯＦＤＭＡ技法に従って、ＡＰ １０４とＳＴＡ １０６Ａ−１０６Ｄとの間で送受信され得る。この場合、ワイヤレス通信システム１００は、ＯＦＤＭ／ＯＦＤＭＡシステムと呼ばれ得る。代替的に、信号は、符号分割多元接続（ＣＤＭＡ）技法に従って、ＡＰ １０４と１０６Ａ−１０６Ｄとの間で送受信され得る。この場合、ワイヤレス通信システム１００は、ＣＤＭＡシステムと呼ばれ得る。
【００４３】
[0050]  ＡＰ １０４からＳＴＡ １０６Ａ−１０６Ｄのうちの１つまたは複数ヘの送信を容易にする通信リンクは、ダウンリンク（ＤＬ）１０８と呼ばれ、ＳＴＡ １０６Ａ−１０６Ｄのうちの１つまたは複数からＡＰ １０４への送信を容易にする通信リンクは、アップリンク（ＵＬ）１１０と呼ばれ得る。代替的に、ダウンリンク１０８は、順方向リンクまたは順方向チャネルと呼ばれ、アップリンク１１０は、逆方向リンクまたは逆方向チャネルと呼ばれ得る。
【００４４】
[0051]  ＡＰ １０４は、基地局として動作し、基本サービスエリア（ＢＳＡ）１０２におけるワイヤレス通信カバレッジを提供し得る。ＡＰ １０４に関連付けられ、かつ通信のためにＡＰ １０４を使用するＳＴＡ １０６Ａ−１０６Ｄとともに、ＡＰ １０４は基本サービスセット（ＢＳＳ）と呼ばれ得る。ワイヤレス通信システム１００は、中央のＡＰ １０４を有していない可能性があるが、むしろＳＴＡ １０６Ａ−１０６Ｄ間のピア・ツー・ピアネットワークとして機能し得ることに留意されたい。従って、本明細書で説明されるＡＰ １０４の機能は、代替的に、ＳＴＡ １０６Ａ−１０６Ｄのうちの１つまたは複数によって行われ得る。
【００４５】
[0052]  いくつかの態様では、ＳＴＡ １０６は、ＡＰ １０４に通信を送るおよび／またはＡＰ １０４から通信を受信するために、ＡＰ １０４との関連付けを行うよう要求され得る。一態様では、関連付けのための情報は、ＡＰ １０４によるブロードキャスト中に含まれる。このようなブロードキャストを受信するために、ＳＴＡ １０６は、例えば、カバレッジ領域を通じて広範囲のカバレッジサーチを行い得る。サーチはまた、ＳＴＡ １０６によって、例えば灯台のような方法（lighthouse fashion）でカバレッジ領域をスイープすること（sweeping）によって行われ得る。関連付けのための情報を受信した後、ＳＴＡ １０６は、関連付けプローブまたは要求のような、基準信号をＡＰ １０４に送信し得る。いくつかの態様では、ＡＰ １０４は、例えば、インターネットまたは公共交換電話ネットワーク（ＰＳＴＮ）のような、より大きなネットワークと通信するためにバックホールサービスを使用し得る。
【００４６】
[0053]  一実施形態では、ＡＰ １０４は、ＡＰ高効率ワイヤレスコントローラ（ＨＥＷ：high efficiency wireless controller）１５４を含む。ＡＰ ＨＥＷ １５４は、８０２．１１プロトコルを使用してＡＰ １０４とＳＴＡ １０６Ａ−１０６Ｄとの間の通信を可能にするために、本明細書で説明される動作のうちのいくつかまたは全てを行い得る。ＡＰ ＨＥＷ １５４の機能は、図２−９に関して下記により詳細に説明される。
【００４７】
[0054]  代替的にまたは追加的に、ＳＴＡ １０６Ａ−１０６Ｄは、ＳＴＡ ＨＥＷ １５６を含み得る。ＳＴＡ ＨＥＷ １５６は、８０２．１１プロトコルを使用してＳＴＡ １０６Ａ−１０６ＤとＡＰ １０４との間の通信を可能にするために、本明細書で説明される動作のうちのいくつかまたは全てを行い得る。ＳＴＡ ＨＥＷ １５６の機能は、図２−９に関して下記により詳細に説明される。
【００４８】
[0055]  図２は、図１のワイヤレス通信システム内で用いられ得るワイヤレスデバイス２０２において利用され得る、様々なコンポーネントを図示する。ワイヤレスデバイス２０２は、本明細書で説明される様々な方法を実施するように構成され得るデバイスの一例であり得る。例えば、ワイヤレスデバイス２０２は、ＡＰ １０４、またはＳＴＡ １０６Ａ−１０６Ｄのうちの１つを含み得る。
【００４９】
[0056]  ワイヤレスデバイス２０２は、ワイヤレスデバイス２０２の動作を制御するプロセッサ２０４を含み得る。プロセッサ２０４はまた、中央処理装置（ＣＰＵ）またはハードウェアプロセッサと呼ばれ得る。読取専用メモリ（ＲＯＭ）、ランダムアクセスメモリ（ＲＡＭ）、またはその両方を含み得るメモリ２０６は、命令およびデータをプロセッサ２０４に提供する。メモリ２０６の一部はまた、不揮発性ランダムアクセスメモリ（ＮＶＲＡＭ）を含み得る。プロセッサ２０４は通常、メモリ２０６内に記憶されたプログラム命令に基づいて、論理および算術演算を行う。メモリ２０６中の命令は、本明細書で説明される方法を実施するために実行可能であり得る。
【００５０】
[0057]  プロセッサ２０４は、１つまたは複数のプロセッサで実施される処理システムのコンポーネントであり得るか、またはそれを含み得る。１つまたは複数のプロセッサは、汎用マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、コントローラ、ステートマシン、ゲート論理、離散ハードウェアコンポーネント、専用ハードウェア有限ステートマシン、あるいは計算または情報の他の操作を行い得る任意の他の適切なエンティティの任意の組み合わせを用いて実施され得る。
【００５１】
[0058]  処理システムはまた、ソフトウェアを記憶するための非一時的な機械可読媒体を含み得る。ソフトウェアは、ソフトウェア、ファームウェア、ミドルウェア、マイクロコード、ハードウェア記述言語で呼ばれようと、あるいはその他のもので呼ばれようと、任意のタイプの命令を意味するように広く解釈されるべきである。命令は、（例えば、ソースコードフォーマット、バイナリコードフォーマット、実行可能コードフォーマット、または任意の他の適切なコードのフォーマットにおける）コードを含み得る。これら命令は、１つまたは複数のプロセッサによって実行されるとき、本明細書で説明される様々な機能を処理システムに行わせる。
【００５２】
[0059]  ワイヤレスデバイス２０２はまた、ワイヤレスデバイス２０２と遠隔ロケーションとの間のデータの送受信を可能にする送信機２１０および受信機２１２を含み得る、ハウジング２０８を含み得る。送信機２１０および受信機２１２は、トランシーバ２１４に統合され得る。アンテナ２１６は、ハウジング２０８に取り付けられ、トランシーバ２１４に電気的に結合され得る。ワイヤレスデバイス２０２はまた、複数の送信機、複数の受信機、複数のトランシーバ、および／または複数のアンテナを含み得、それらは、例えば、他入力多出力（ＭＩＭＯ）通信の間に利用され得る。
【００５３】
[0060]  ワイヤレスデバイス２０２はまた、トランシーバ２１４によって受信される信号のレベルを検出および定量化しようとするために使用され得る信号検出器２１８を含み得る。信号検出器２１８は、総エネルギー、シンボル当たりのサブキャリアごとのエネルギー、電力スペクトル密度、および他の信号のような信号を検出し得る。ワイヤレスデバイス２０２はまた、信号を処理する際に使用するための、デジタル信号プロセッサ（ＤＳＰ）２２０を含み得る。ＤＳＰ ２２０は、送信のためのデータユニットを生成するように構成され得る。いくつかの態様では、データユニットは、物理レイヤデータユニット（ＰＰＤＵ）を含み得る。いくつかの態様では、ＰＰＤＵは、パケットまたはフレームと呼ばれる。
【００５４】
[0061]  ワイヤレスデバイス２０２はさらに、いくつかの態様においてユーザインターフェース２２２を含み得る。ユーザインターフェース２２２は、キーパッド、マイクロフォン、スピーカ、および／またはディスプレイを含み得る。ユーザインターフェース２２２は、ワイヤレスデバイス２０２のユーザに情報を搬送するおよび／またはユーザからの入力を受信する任意の要素またはコンポーネントを含み得る。
【００５５】
[0062]  ワイヤレスデバイス２０２の様々なコンポーネントは、バスシステム２２６によって連結され得る。バスシステム２２６は、データバスを含み得、同様に、データバスに加えて、例えば、電力バス、制御信号バス、およびステータス信号バスを含み得る。当業者は、ワイヤレスデバイス２０２のコンポーネントが連結され得るか、あるいは何らかの他のメカニズムを使用して互いに入力を受け取るまたは提供し得ることを理解するだろう。
【００５６】
[0063]  いくつかの別個のコンポーネントが図２に図示されているが、コンポーネントのうちの１つまたは複数が組み合わされるか、または一般的に実装され得ることを、当業者は理解するだろう。例えば、プロセッサ２０４は、プロセッサ２０４に関して上述される機能を実施するだけでなく、信号検出器２１８および／またはＤＳＰ ２２０に関して上述される機能を実施するためにも使用され得る。さらに、図２に図示されるコンポーネントの各々は、複数の別個の要素を使用して実装され得る。
【００５７】
[0064]  上述されるように、ワイヤレスデバイス２０２は、ＡＰ １０４またはＳＴＡ １０６Ａ−１０６Ｄのうちの１つを含み得、通信を送信および／または受信するために使用され得る。ワイヤレスネットワーク中のデバイス間で交換される通信は、パケットまたはフレームを含み得るデータユニットを含み得る。いくつかの態様では、データユニットは、データフレーム、制御フレーム、および／または管理フレームを含み得る。データフレームは、データをＡＰおよび／またはＳＴＡから他のＡＰおよび／またはＳＴＡに送信するために使用され得る。制御フレームは、様々な動作を行うためにおよびデータを確実に配信する（例えば、データの受信、ＡＰのポーリング、エリアクリアリング動作、チャネル取得、キャリア検知維持機能などをアクノレッジする）ために、データフレームとともに使用され得る。管理フレームは、様々な監督機能（例えば、ワイヤレスネットワークに参加する、およびワイヤレスネットワークから離れるなど）のために使用され得る。
【００５８】
[0065]  図３は、８０２．１１システムについて利用可能なチャネルのためのチャネル割り振りを図示する。様々なＩＥＥＥ ８０２．１１システムは、５、１０、２０、４０、８０、および１６０ＭＨｚチャネルのような異なるサイズのいくつかのチャネルをサポートする。例えば、また８０２．１１ａｃデバイスは、２０、４０、および８０ＭＨｚチャネル帯域幅の受信および送信をサポートし得る。より広いチャネルは、２つの隣接するより狭いチャネルを含み得る。例えば、８０ＭＨｚチャネルは、２つの隣接する４０ＭＨｚチャネルを含み得る。現在実施されているＩＥＥＥ ８０２．１１システムでは、２０ＭＨｚチャネルは、３１２．５ｋＨｚだけ互いに間隔を空けた６４のサブキャリアを含む。これらのサブキャリアのうち、より小さい数は、データを搬送するために使用され得る。例えば、２０ＭＨｚチャネルは、−１から−２８および１から２８のナンバリングされたサブキャリア、すなわち５６のサブキャリアを送信することを含み得る。これらのキャリアのいくつかはまた、パイロット信号を送信するために使用され得る。
【００５９】
[0066]  図４および図５は、いくつかの既存のＩＥＥＥ ８０２．１１規格のためのデータパケットフォーマットを図示する。始めに図４を見ると、ＩＥＥＥ ８０２．１１ａ、１１ｂ、および１１ｇのためのパケットフォーマットが図示されている。このフレームは、ショートトレーニングフィールド４２２、ロングトレーニングフィールド４２４、および信号フィールド４２６を含む。トレーニングフィールドはデータを送信しないが、これらはデータフィールド４２８中のデータを復号するために、ＡＰと受信ＳＴＡとの間の同期を可能にする。
【００６０】
[0067]  信号フィールド４２６は、ＡＰからＳＴＡに、配信されるパケットの性質（nature）についての情報を配信する。ＩＥＥＥ ８０２．１１ａ／ｎ／ａｃデバイスでは、信号フィールドは２４ビットの長さを有し、１／２のコードレートおよびＢＰＳＫ変調を使用する６Ｍｂ／ｓレートで単一のＯＦＤＭシンボルとして送信される。ＳＩＧフィールド４２６中の情報は、パケット中のデータの変調方式（例えば、ＢＰＳＫ、１６ＱＡＭ、６４ＱＡＭなど）を説明する４ビットと、パケット長についての１２ビットとを含む。この情報は、パケットがＳＴＡを対象とするときに、そのパケット中のデータを復号するために、ＳＴＡによって使用される。パケットが特定のＳＴＡを対象としていないときには、ＳＴＡは、ＳＩＧシンボル４２６の長さフィールドにおいて定義される時間期間の間、いずれの通信試行（communication attempts）も延期し得、電力を節約するために、最大で約５．５ミリ秒のパケット期間の間、スリープモードに入り得る。
【００６１】
[0068]  特徴がＩＥＥＥ ８０２．１１に追加されると、ＳＴＡに追加の情報を提供するために、データパケット中のＳＩＧフィールドのフォーマットに対する変更が開発された。図５は、ＩＥＥＥ ８０２．１１ｎパケットのためのパケット構造を示す。ＩＥＥＥ．８０２．１１規格への１１ｎの追加は、ＩＥＥＥ．８０２．１１に互換性のあるデバイスに対してＭＩＭＯ機能を追加した。ＩＥＥＥ ８０２．１１ａ／ｎ／ａｃデバイスとＩＥＥＥ ８０２．１１ｎデバイスとの両方を含むシステムに後方互換性を提供するために、ＩＥＥＥ ８０２．１１ｎシステムのためのデータパケットはまた、以前のシステムのＳＴＦ、ＬＴＦ、およびＳＩＧフィールドも含んでおり、それらが「レガシ（legacy）」フィールドであることを示すためのプレフィックスＬを用いて、Ｌ−ＳＴＦ ４２２、Ｌ−ＬＴＦ ４２４、およびＬ−ＳＩＧ ４２６と記載される。ＩＥＥＥ ８０２．１１ｎ環境において必要とされる情報をＳＴＡに提供するために、２つの追加の信号シンボル４４０および４４２がＩＥＥＥ ８０２．１１ｎデータパケットに追加された。しかしながら、ＳＩＧフィールドおよびＬ−ＳＩＧフィールド４２６とは対照的に、これらの信号フィールドは、回転されたＢＰＳＫ変調（ＱＢＰＳＫ変調とも呼ばれる）を使用した。ＩＥＥＥ ８０２．１１ａ／ｎ／ａｃで動作するように構成されたレガシデバイスがこのようなパケットを受信するときに、それは、正常な１１ａ／ｎ／ａｃパケットとしてＬ−ＳＩＧフィールド４２６を受信および復号し得る。しかしながら、Ｌ−ＳＩＧフィールド４２６の後のデータパケットのフォーマットが１１ａ／ｎ／ａｃパケットのフォーマットとは異なるため、デバイスが追加のビットを復号し続けると、それらはうまく復号されない可能性があり、この処理の間にそのデバイスによって行われるＣＲＣチェックが失敗する可能性がある。これは、そのパケットを処理することをこれらのレガシデバイスに止めさせるが、さらに、最初に復号されたＬ−ＳＩＧ中のロングフィールドによって定義された時間期間が経過するまで、いずれの追加の動作も延期させる。対照的に、ＩＥＥＥ ８０２．１１ｎと互換性のある新規のデバイスは、ＨＴ−ＳＩＧフィールド中の回転された変調を感知し、そのパケットを８０２．１１ｎパケットとして処理し得る。さらに、１１ｎデバイスは、Ｌ−ＳＩＧ ４２６の後に続くシンボル中でＱＢＰＳＫ以外のいずれかの変調を感知する場合に、それを１１ａ／ｎ／ａｃパケットとして無視することができるため、パケットが１１ａ／ｎ／ａｃデバイスを対象としていると見分けることができる。ＨＴ−ＳＩＧ１およびＳＩＧ２シンボルの後に、ＭＩＭＯ通信に適した追加のトレーニングフィールドが提供され、その後にデータ４２８が続く。
【００６２】
[0069]  図６は、ＩＥＥＥ ８０２．１１ファミリにマルチユーザＭＩＭＯ機能を追加した、既存のＩＥＥＥ ８０２．１１ａｃ規格のためのフレームフォーマットを図示する。ＩＥＥＥ ８０２．１１ｎと同様に、８０２．１１ａｃフレームは、同じレガシショートトレーニングフィールド（Ｌ−ＳＴＦ）４２２およびロングトレーニングフィールド（Ｌ−ＬＴＦ）４２４を含む。８０２．１１ａｃフレームはまた、上述されるようなレガシ信号フィールドＬ−ＳＩＧ ４２６を含む。
【００６３】
[0070]  次に、８０２．１１ａｃフレームは、長さが２シンボルの超高スループット信号（Very High Throughput Signal）（ＶＨＴ−ＳＩＧ−Ａ１ ４５０およびＡ２ ４５２）フィールドを含む。この信号フィールドは、１１ａ／ｎ／ａｃおよび１１ｎデバイスには存在しない１１ａｃの特徴に関連する追加の構成情報を提供する。ＶＨＴ−ＳＩＧ−Ａの第１のＯＦＤＭシンボル４５０は、パケットをリッスンしている（listening）任意の８０２．１１ｎデバイスが、そのパケットが８０２．１１ａパケットであると確信することができるように、ＢＰＳＫを使用して変調され得、Ｌ−ＳＩＧ ４２６の長さフィールドにおいて定義されるようなパケット長の持続時間の間、そのパケットのために延期し（defer to the packet）得る。１１／ｇに従って構成されるデバイスは、Ｌ−ＳＩＧ ４２６フィールドの後に続くサービスフィールドおよびＭＡＣヘッダを予期し得る。それらがこれを復号しようと試みるとき、１１ｎパケットが１１ａ／ｎ／ａｃデバイスによって受信されるときのプロシージャと同様の方式でＣＲＣ失敗が発生し得、１１ａ／ｎ／ａｃデバイスはまた、Ｌ−ＳＩＧフィールド４２６において定義される期間の間、延期し得る。ＶＨＴ−ＳＩＧ−Ａの第２のシンボル４５２は、９０度回転されたＢＰＳＫで変調される。この回転された第２のシンボルは、８０２．１１ａｃデバイスがパケットを８０２．１１ａｃパケットとして識別することを可能にする。ＶＨＴ−ＳＩＧ Ａ１ ４５０およびＡ２ ４５２フィールドは、帯域幅モード関する情報、単一ユーザの場合のための変調およびコーディング方式（ＭＣＳ）関する情報、空間時間ストリームの数（ＮＳＴＳ）関する情報、および他の情報を含む。ＶＨＴ−ＳＩＧ Ａ１ ４５０およびＡ２ ４５２はまた、「１」に設定された、いくつかの予約済みビットを含み得る。レガシフィールドと、ＶＨＴ−ＳＩＧ Ａ１およびＡ２フィールドとは、利用可能な帯域幅の各２０ＭＨｚを通じて複製され得る。複製は、正確なコピーを作成するまたは正確なコピーであることを意味するように構成され得るが、本明細書で説明されるように、フィールドなどが複製されるときに、ある特定の差分が存在し得る。
【００６４】
[0071]  ＶＨＴ−ＳＩＧ−Ａの後、８０２．１１ａｃパケットは、ＶＨＴ−ＳＴＦを含み得、それは、他入力多出力（ＭＩＭＯ）送信中の自動利得制御推定を改善するように構成される。８０２．１１ａｃパケットの次の１から８フィールドは、ＶＨＴ−ＬＴＦであり得る。これらは、ＭＩＭＯチャネルを推定し、次に、受信した信号を均一化するために使用され得る。送られるＶＨＴ−ＬＴＦの数は、ユーザ当たりの空間ストリームの数以上であり得る。最後に、データフィールドの前のプリアンブル中の最後のフィールドが、ＶＨＴ−ＳＩＧ−Ｂ ４５４である。このフィールドは、ＢＰＳＫ変調され、パケット中の有用なデータの長さに関する情報を提供し、マルチユーザ（ＭＵ）ＭＩＭＯパケットの場合には、ＭＣＳを提供する。シングルユーザ（ＳＵ）の場合には、このＭＣＳ情報は、代わりにＶＨＴ−ＳＩＧ Ａ２中に含まれる。ＶＨＴ−ＳＩＧ−Ｂの後に続いて、データシンボルが送信される。
【００６５】
[0072]  ８０２．１１ａｃは、様々な新規の特徴を８０２．１１ファミリに導入し、１１／ｇ／ｎデバイスと後方互換性のあるプリアンブル設計を用いたデータパケットを含み、１１ａｃの新規の特徴を実装するのに必要な情報も提供したが、多元接続のためのＯＦＤＭＡトーン割り振りについての構成情報は、１１ａｃデータパケット設計によって提供されていない。ＩＥＥＥ ８０２．１１、またはＯＦＤＭサブキャリアを使用する任意の他のワイヤレスネットワークプロトコルのうちのいずれかの将来のバージョンにおいて、そのような特徴を実装するために、新規のプリアンブル構成が望まれる。
【００６６】
[0073]  図７は、後方互換性のある多元接続ワイヤレス通信を可能にするために使用され得る物理レイヤパケットの例示的な構造を図示する。この物理レイヤパケットの例では、Ｌ−ＳＴＦ ４２２、Ｌ−ＬＴＦ ４２４、およびＬ−ＳＩＧ ４２６を含むレガシプリアンブルが含まれる。様々な実施形態では、Ｌ−ＳＴＦ ４２２、Ｌ−ＬＴＦ ４２４、およびＬ−ＳＩＧ ４２６の各々は、２０ＭＨｚを使用して送信され得、ＡＰ １０４（図１）が使用するスペクトルの各２０ＭＨｚのために複数のコピーが送信され得る。当業者は、図示された物理レイヤパケットが追加のフィールドを含み、複数のフィールドが、再配置、削除、および／またはリサイズされ、またフィールドのコンテンツが変更され得ることを理解するだろう。
【００６７】
[0074]  このパケットはまた、ＨＥ−ＳＩＧ０シンボル４５５、および１つまたは複数のＨＥ−ＳＩＧ１Ａシンボル４５７（長さが可変であり得る）、および任意のＨＥ−ＳＩＧ１Ｂシンボル４５９（図６のＶＨＴ−ＳＩＧ １Ｂフィールド４５４に類似し得る）を含む。様々な実施形態では、これらのフィールドの構成は、ＩＥＥＥ ８０２．１１ａ／ｂ／ｇ／ｎ／ａｃデバイスと後方互換性があり得、また、パケットがＨＥパケットであることをＯＦＤＭＡ ＨＥデバイスにシグナリングし得る。ＩＥＥＥ ８０２．１１ａ／ｂ／ｇ／ｎ／ａｃデバイスと後方互換性があるように、これらのシンボルの各々に関して適切な変調が使用され得る。いくつかの実装では、ＨＥ−ＳＩＧ０フィールド４５５は、ＢＰＳＫ変調で変調され得る。これはまた、ＢＰＳＫ変調されたそれらの第１のＳＩＧシンボルを有する、８０２．１１ａｃパケットを用いた現在のケースと同じ効果を８０２．１１ａ／ｂ／ｇ／ｎデバイスにもたらし得る。これらのデバイスについて、次に続くＨＥ−ＳＩＧシンボル４５７に何の変調が行われるかは重要ではない。様々な実施形態では、ＨＥ−ＳＩＧ０フィールド４５５は、変調され、複数のチャネルにわたって繰り返され得る。
【００６８】
[0075]  様々な実施形態では、ＨＥ−ＳＩＧ１Ａフィールド４５７は、ＢＰＳＫ変調されるかまたはＱＢＰＳＫ変調され得る。ＢＰＳＫ変調される場合、１１ａｃデバイスは、パケットが８０２．１１ａ／ｎ／ａｃパケットであると見なし、パケットを処理することを止め、Ｌ−ＳＩＧ ４２６の長さフィールドによって定義される時間の間、延期し得る。ＱＢＰＳＫ変調される場合、８０２．１１ａｃデバイスは、プリアンブル処理の間、ＣＲＣ誤差を生成し、また、パケットを処理することを止め、Ｌ−ＳＩＧの長さフィールドによって定義される時間の間、延期し得る。これがＨＥパケットであることをＨＥデバイスにシグナリングするために、ＨＥ−ＳＩＧ１Ａ ４５７の少なくとも第１のシンボルが、ＱＢＰＳＫ変調され得る。
【００６９】
[0076]  ＯＦＤＭＡ多元接続通信を確立するため必要な情報は、ＨＥ−ＳＩＧフィールド４５５、４５７、および４５９中で様々な位置に置かれ得る。様々な実施形態では、ＨＥ−ＳＩＧ０ ４５５は、持続時間インジケーション、帯域幅インジケーション（例えば、２ビットであり得る）、ＢＳＳ色ＩＤ（例えば、３ビットであり得る）、ＵＬ／ＤＬインジケーション（例えば、１ビットフラグであり得る）、サイクリック冗長検査（ＣＲＣ）（例えば、４ビットであり得る）、およびクリアチャネルアセスメント（ＣＣＡ）インジケーション（例えば、２ビットであり得る）のうちの１つまたは複数を含み得る。
【００７０】
[0077]  様々な実施形態では、ＨＥ−ＳＩＧ１フィールド４５７は、ＯＦＤＭＡ動作のためのトーン割り振り情報を含み得る。図７の例は、４人の異なるユーザが、トーンの特定のサブバンドおよび特定の数のＭＩＭＯ空間時間ストリームを各々割り当てられることを可能にし得る。様々な実施形態では、１２ビットの空間時間ストリーム情報は、１〜８のストリームが各自に割り当てられ得るように、４人のユーザの各々のための３ビットを可能にする。１６ビットの変調タイプデータは、４人のユーザの各々のための４ビットを可能にし、４人のユーザの各々のための１６の異なる変調方式（１６ＱＡＭ、６４ＱＡＭなど）のうちのいずれか１つの割り当てを可能にする。１２ビットのトーン割り振りデータは、特定のサブバンドが４人のユーザの各々に割り当てられることを可能にする。
【００７１】
[0078]  サブバンド（本明細書ではサブチャネルとも呼ばれる）割り振りのためのＳＩＧフィールド方式の一例は、サブバンドトーンを４人のユーザの各々に割り振るための１０ビットの情報と同様に、６ビットのグループＩＤフィールドを含む。パケットを配信するために使用される帯域幅は、いくつかの数のＭＨｚの倍数でＳＴＡに割り振られ得る。例えば、帯域幅は、Ｂ ＭＨｚの倍数でＳＴＡに割り振られ得る。Ｂの値は、１、２、５、１０、１５、または２０ＭＨｚのような値であり得る。Ｂの値は、２ビット割り振り粒度フィールド（allocation granularity field）によって提供され得る。例えば、ＨＥ−ＳＩＧ１Ａ ４５７は、１つの２ビットフィールドを含み得、それは、Ｂの４つの起こり得る値を可能にする。例えば、Ｂの値は、５、１０、１５、または２０ＭＨｚであり得、割り振り粒度フィールド中の０〜３の値に対応する。いくつかの態様では、０からＮまでの数を定義する、Ｂの値をシグナリングするための、ｋビットのフィールドが使用され得、ここで、０は最も自由度の低いオプション（the least flexible option）（最大粒度）を表し、高いＮの値は、最も自由度の高い（the most flexible option）オプション（最小粒度）を表す。各Ｂ ＭＨｚ部分は、サブバンドと呼ばれ得る。
【００７２】
[0079]  ＨＥ−ＳＩＧ１Ａ ４５７はさらに、各ＳＴＡに割り振られたサブバンドの数を示すために、ユーザ当たり２ビットを使用し得る。これは、０〜３のサブバンドが各ユーザに割り振られることを可能にし得る。グループＩＤ（Ｇ＿ＩＤ）は、ＳＴＡを識別するために使用され得、それは、ＯＦＤＭＡパケット中でデータを受信し得る。この６ビットのＧ＿ＩＤは、この例では、特定の順序で最大４つのＳＴＡを識別し得る。
【００７３】
[0080]  ＨＥ−ＳＩＧシンボルの後に送られるトレーニングフィールドおよびデータは、各ＳＴＡに割り振られたトーンに従って、ＡＰによって配信され得る。この情報は、潜在的にビームフォーミングされ得る。この情報をビームフォーミングすることは、より正確な復号を行うことを可能にすること、および／またはビームフォーミングされていない送信よりもより大きな範囲を提供することなどの、ある特定の利益を有し得る。
【００７４】
[0081]  各ユーザに割り当てられた空間時間ストリームに依存して、異なるユーザが、異なる数のＨＥ−ＬＴＦ ４６５を使用し得る。各ＳＴＡは、そのＳＴＡに関連付けられた各空間ストリームについてのチャネル推定を可能にするＨＥ−ＬＴＦ ４６５の数を使用し得、それらは、一般に、空間ストリームの数以上であり得る。ＬＴＦはまた、周波数オフセット推定および時間同期のために使用され得る。異なるＳＴＡが異なる数のＨＥ−ＬＴＦを受信し得るため、シンボルは、いくつかのトーン上にＨＥ−ＬＴＦ情報を含み、他のトーン上にデータを含むＡＰ １０４（図１）から送信され得る。
【００７５】
[0082]  いくつかの態様では、同じＯＦＤＭシンボル上でＨＥ−ＬＴＦ情報とデータとの両方を送ることは、問題がある場合がある。例えば、これは、ピーク対平均電力比（ＰＡＰＲ）を非常に高いレベルに増大させ得る。そのため、少なくとも要求された数のＨＥ−ＬＴＦ ４６５を各ＳＴＡが受信するまで、送信されたシンボルの全てのトーン上でＨＥ−ＬＴＦ ４６５を代わりに送信することが有益であり得る。例えば、各ＳＴＡは、ＳＴＡに関連付けられた空間ストリームごとに１つのＨＥ−ＬＴＦ ４６５を受信する必要があり得る。そのため、ＡＰは、任意のＳＴＡに割り当てられた空間ストリームの最大数と等しいＨＥ−ＬＴＦ ４６５の数を各ＳＴＡに送信するように構成され得る。例えば、３つのＳＴＡは単一の空間ストリームを割り当てられるが、４番目のＳＴＡは３つの空間ストリームを割り当てられる場合、この態様では、ＡＰは、ペイロードデータを含むシンボルを送信する前に、ＨＥ−ＬＴＦ情報の４つのシンボルを４つのＳＴＡの各々に送信するように構成され得る。
【００７６】
[0083]  任意の所与のＳＴＡに割り当てられたトーンは必ずしも隣接している必要はない。例えば、いくつかの実装では、異なる受信ＳＴＡのサブバンドがインターリーブされ得る。例えば、ユーザ１およびユーザ２の各々が３つのサブバンドを受信する一方、ユーザ４が２つのサブバンドを受信する場合、これらのサブバンドは、ＡＰ帯域幅全体にわたってインターリーブされ得る。例えば、これらのサブバンドは、１、２、４、１、２、４、１、２のような順でインターリーブされ得る。いくつかの態様では、サブバンドをインターリーブする他の方法もまた使用される。いくつかの態様では、サブバンドをインターリーブすることは、干渉の悪影響、または特定のサブバンド上の特定のデバイスからの受信不良の影響（effect of poor reception）を低減し得る。いくつかの態様では、ＡＰは、ＳＴＡが好むサブバンド上でＳＴＡに送信し得る。例えば、ある特定のＳＴＡは、いくつかのサブバンド中で他のサブバンドよりもより良好な受信を有し得る。そのため、ＡＰは、どのサブバンドのＳＴＡがより良好な受信を有し得るかに少なくとも部分的に基づいて、ＳＴＡに送信し得る。いくつかの態様では、サブバンドはまた、インターリーブされない可能性もある。例えば、サブバンドは、代わりに１，１、１、２、２、２、４、４のように送信され得る。いくつかの態様では、サブバンドがインターリーブされるか否かあらかじめ定義され得る。
【００７７】
[0084]  図７の例では、ＨＥ−ＳＩＧ０ ４５５のシンボル変調は、パケットがＨＥパケットであることをＨＥデバイスにシグナリングするために使用され得る。パケットがＨＥパケットであることをＨＥデバイスにシグナリングする他の方法もまた使用され得る。図７の例では、Ｌ−ＳＩＧ ４２６は、ＨＥプリアンブルがレガシプリアンブルの後に続き得るようＨＥデバイスに指示する情報を含み得る。例えば、Ｌ−ＳＩＧ ４２６は、Ｌ−ＳＩＧ ４２６の間に、Ｑ信号に敏感なＨＥデバイスに、次に続くＨＥプリアンブルの存在を示す、Ｑレール上の低エネルギーの１ビットコードを含み得る。パケットを送信するために、ＡＰによって使用される全てのトーンにわたって単一のビット信号が拡散され得るため、振幅が非常に小さいＱ信号（very low amplitude Q signal）が使用され得る。このコードは、ＨＥプリアンブル／パケットの存在を検出するために、高効率デバイスによって使用され得る。レガシデバイスのＬ−ＳＩＧ ４２６検出感度は、Ｑレール上のこの低エネルギコードによって実質的に必ずしも影響を受けない。そのため、これらのデバイスがＬ−ＳＩＧ ４２６を読み取ることができ、コードの存在を検知しない一方、ＨＥデバイスは、コードの存在を検出することができる。この実装では、全てのＨＥ−ＳＩＧフィールドは、所望される場合、ＢＰＳＫ変調され得、このＬ−ＳＩＧシグナリングとともに、レガシ互換性に関連した本明細書で説明される技法のいずれかが使用され得る。
【００７８】
[0085]  様々な実施形態では、いずれのＨＥ−ＳＩＧフィールド４５５−４５９も、各多重化されたユーザについてのユーザ固有変調タイプを定義するビットを含み得る。例えば、任意のＨＥ−ＳＩＧ１Ｂ ４５９フィールドは、各変調されたユーザについてのユーザ固有変調タイプを定義するビットを含み得る。
【００７９】
[0086]  いくつかの実施形態では、ＨＥＷ ＳＴＡ １０６は、レガシＳＴＡのものの４倍のシンボル持続時間を使用して通信し得る。従って、送信される各シンボルは、持続時間が４倍の長さであり得る。より長いシンボル持続時間を使用するときに、個々のトーンの各々は、送信される帯域幅の４分の１のみを要求し得る。例えば、様々な実施形態では、１ｘのシンボル持続時間は４マイクロ秒であり得、４ｘのシンボル持続時間は１６マイクロ秒であり得る。そのため、様々な実施形態では、１ｘのシンボルは本明細書ではレガシシンボルと呼ばれ、４ｘシンボルはＨＥＷシンボルと呼ばれ得る。他の実施形態では、異なる持続時間が存在し得る。
【００８０】
[0087]  いくつかの態様では、ワイヤレス信号は、例えば、８０２．１１ａｘプロトコルに従って、低レート（ＬＲ）モードで送信され得る。いくつかの実施形態では、ＬＲモードは、ＭＣＳ０よりも低いコードレートを有し得る。いくつかの実施形態では、ＡＰ １０４は、ＳＴＡ １０６と比較して、より高い送信電力能力を有し得る。いくつかの実施形態では、例えば、ＳＴＡ １０６は、ＡＰ １０４よりも低い、いくつかのｄＢで送信し得る。そのため、ＡＰ １０４からＳＴＡ １０６へのＤＬ通信は、ＳＴＡ １０６からＡＰ １０４へのＵＬ通信よりも広い範囲を有し得る。リンクバジェットをクローズする（close）ために、ＬＲモードが使用される。従って、ＬＲモードは、長い範囲の送信モードをサポートし得、負の信号対干渉プラス雑音比（ＳＩＮＲ）（negative signal-to-interference-plus-noise ratio）で動作をサポートし得る。いくつかの実施形態では、ＬＲモードは、ＤＬおよびＵＬ通信の両方で使用され得る。他の実施形態では、ＬＲモードはＵＬ通信のためのみに使用される。
【００８１】
[0088]  いくつかの実施形態では、隠れたＬＲプリアンブルをレガシプリアンブルの前に前置すること（prefixing）によって、レガシ通信システムを用いた後方互換性が提供され得る。いくつかの実施形態では、ＬＲプリアンブルをレガシプリアンブルの後に後置すること（post-fixing）によって、後方互換性が提供され得る。様々な態様では、レガシプリアンブルが繰り返され得、ＬＲ−ＳＩＧが簡略化されるか、または省略され得る。様々な実施形態では、レガシプリアンブルが使用されず、ＬＲ−ＳＩＧが提供される。
【００８２】
[0089]  上述されるように、いくつかの実施形態では、ＬＲモードは、ＭＣＳ０よりも低いコードレートを有し得る。いくつかの実施形態では、直接、符号化からコーディングレートを有する代わりに、ダイバーシティを通じて復調性能を高めるために、（周波数および／または時間領域において）繰り返しを適用することによって、ＬＲモードが実現され得る。いくつかの実施形態では、繰り返しは、データセグメント化、シンボル分割、およびシンボルマッピングを含む、１つのＯＦＤＭシンボルパッキング処理またはＯＦＤＭシンボルパッキング処理の組み合わせの間に適用され得る。
【００８３】
[0090]  図８は、ある実施形態に従った、データの繰り返しを含む例示的なシンボルパッキング処理フロー８００を図示する。図示された実施形態では、データセグメント化、シンボル分割、およびダイバーシティマッピングの、ＯＦＤＭシンボルパッキングのための３つのステップが存在する。これらのステップが特定の順序で示されているが、様々な実施形態では、これらステップは、再配置され得、さらなるステップが含まれ得、ステップが省略され得る。データセグメント化の前に、フロー８００は、Ｃコード化ビットの入力ベクトル８０５から始まる。いくつかの実施形態では、Ｃコード化ビットの入力ベクトル８０５は、インターリーブされ得る。
【００８４】
[0091]  ステップ１において、入力ベクトル８０５は、各々Ｎビットの複数のシンボルベクトル８１０にセグメント化され、ここで、Ｎは繰り返しなしのＯＦＤＭシンボル当たりのビット数である。いくつかの実施形態では、入力ベクトル８０５は、オプション１．１の式に従ってシンボルベクトル８１０にセグメント化され得、ここで、入力ベクトル８０５は、複数のシンボルベクトル８１０に順次（sequentially）切り離される。例えば、シンボルベクトルＸ０は、入力ベクトル８０５の第１のＮビットを含み得、シンボルベクトルＸ１は、入力ベクトル８０５のその次のＮビットを含み得、以下同様に行われる。
【００８５】
[0092]  別の実施形態では、入力ベクトル８０５は、オプション１．２の式に従ってシンボルベクトル８１０にセグメント化され得、ここで、入力ベクトル８０５のビットは、分散方式（distributed manner）でセグメント化される。例えば、シンボルベクトルＸ０の第１のビットは、入力ベクトル８０５の第１のビットを含み得、シンボルベクトルＸ１の第１のビットは、入力ベクトル８０５の２番目のビットを含み得、以下同様に行われる。同様に、シンボルベクトルＸ０の第２のビットは、入力ベクトル８０５の（Ｋ＋１）番目のビットを含み得、シンボルベクトルＸ１の第２のビットは、入力ベクトル８０５の（Ｋ＋２）番目のビットを含み得、以下同様に行われる。分散方式で入力ベクトル８０５からビットを選択することによって、オプション１．１を通じていくつかの実装でコーディング利得が得られ得る。
【００８６】
[0093]  ステップ２において、シンボルベクトル８１０の各々が、複数の分割ベクトル８１５に分割され得る。図示される実施形態では、シンボルベクトル８１０の各々は、２ｘの繰り返しを可能にするために、２つの複数の分割ベクトル８１５Ａと８１５Ｂとに分割される。４ｘの繰り返しを提供する実施形態では、各シンボルベクトル８１０は、４つの分割ベクトル８１５に分割され得、以下同様に行われる。ある実施形態では、シンボルベクトル８１０の各々は、オプション２．１の式に従って分割ベクトル８１５Ａと８１５Ｂとに分割され得、ここで、各シンボルベクトル８１０は、真っ二つに分割される（split down the middle）。例えば、分割ベクトル８１５Ａは、シンボルベクトル８１０の第１のＮ／２ビットを含み得、分割ベクトル８１５Ｂは、シンボルベクトル８１０の第２のＮ／２ビットを含み得る。４ｘの繰り返しを提供する実施形態では、第１の分割ベクトルは、シンボルベクトル８１０の第１のＮ／４ビットを含み得、第２の分割ベクトルは、シンボルベクトル８１０のその次のＮ／４ビットを含み得、第３の分割ベクトルは、シンボルベクトル８１０のその次のＮ／４ビットを含み得、第４の分割ベクトルは、シンボルベクトル８１０の最後のＮ／４ビットを含み得、以下同様に行われる。
【００８７】
[0094]  ある実施形態では、シンボルベクトル８１０の各々は、オプション２．２の式に従って分割ベクトル８１５Ａと８１５Ｂとに分割され得、ここで、各シンボルベクトル８１０は、ラウンドロビン方式（round robin fashion）で分割される。例えば、分割ベクトル８１５Ａの第１のビットは、シンボルベクトル８１０の第１のビットを含み得、分割ベクトル８１５Ｂの第１のビットは、シンボルベクトル８１０の第２のビットを含み得、分割ベクトル８１５Ａの第２のビットは、シンボルベクトル８１０の第３のビットを含み得、分割ベクトル８１５Ｂの第２のビットは、シンボルベクトル８１０の第４のビット含み得、以下同様に行われる。４ｘの繰り返しを提供する実施形態では、第１の分割ベクトルの第１のビットは、シンボルベクトル８１０の第１のビットを含み得、第２の分割ベクトルの第１のビットは、シンボルベクトル８１０の第２のビットを含み得、第３の分割ベクトルの第１のビットは、シンボルベクトル８１０の第３のビットを含み得、第４の分割ベクトルの第１のビットは、シンボルベクトル８１０の第４のビットを含み得、第１の分割ベクトルの第２のビットは、シンボルベクトル８１０の第５のビットを含み得、以下同様に行われる。
【００８８】
[0095]  ステップ３において、分割ベクトル８１５Ａおよび８１５Ｂは、周波数ダイバーシティでシンボルマッピングされる。ある実施形態では、分割ベクトル８１５Ａおよび８１５Ｂは、オプション３．１の図に従って時間および周波数においてマッピングされ得、ここで、各シンボルは、周波数領域中のブロックレベルの繰り返しを含む。例えば、第１のシンボル（ｓｙｍ１）は、周波数領域中で繰り返された、第１の分割ベクトル８１５Ａを含み得、第２のシンボル（ｓｙｍ２）は、周波数領域中で繰り返された、第２の分割ベクトル８１５Ｂを含み得る。２ｘの繰り返しが示されているが、４ｘの繰り返しを提供する実施形態では、第１のシンボルは、周波数領域中で第１の分割ベクトル４ｘを繰り返し得、第２のシンボルは、周波数領域中で第２の分割ベクトル４ｘを繰り返し得、第３のシンボルは、周波数領域中で第３の分割ベクトル４ｘを繰り返し得、第４のシンボルは、周波数領域中で第４の分割ベクトル４ｘを繰り返し得、以下同様に行われる。
【００８９】
[0094]  様々な実施形態では、ブロックレベルの繰り返しは、ＭＣＳ０を使用する通常のＯＦＤＭシンボルと比較してより高いＰＡＰＲに帰着し得る。ある実施形態では、スクランブリングシーケンスＳは、繰り返しのうちの１つ（例えば、繰り返された分割ベクトル８２０）に適用され得る。スクランブリングシーケンスＳは、ＰＡＰＲ分散を最小化または低減するために選択された±１のシーケンスであり得る。例えば、繰り返された分割ベクトル８１５Ａのうちの１つがスクランブリングシーケンスＳによって小数点乗算され得（例えば、Ａ’＝Ａ．＊Ｓ）、繰り返された分割ベクトル８１５Ｂのうちの１つがスクランブリングシーケンスＳによって小数点乗算され得る（例えば、Ｂ’＝Ｂ．＊Ｓ）。
【００９０】
[0097]  ある実施形態では、分割ベクトル８１５Ａおよび８１５Ｂは、オプション３.２の図に従って時間および周波数においてマッピングされ得、ここで、各分割ベクトル８１５は、シンボル間の異なる周波数上に割り振られる。例えば、第１のシンボル（ｓｙｍ１）は、周波数領域中に分散された、第１の分割ベクトル８１５Ａと第２の分割ベクトル８１５Ｂとを含み得、第２のシンボル（ｓｙｍ２）は、周波数領域中で反転された、繰り返された第２の分割ベクトル８１５Ｂと繰り返された第１の分割ベクトル８１５Ａとを含み得る。２ｘの繰り返しが示されているが、４ｘの繰り返しを提供する実施形態では、第１のシンボルは、周波数領域中に分散された４つの分割ベクトルの各々を含み得、第２のシンボルは、周波数領域中に異なって分散された４つの分割ベクトルの各々を含み得、第３のシンボルは、周波数領域中に異なって分割された４つの分割ベクトル８１５の各々を含み得、第４のシンボルは、周波数領域中に異なって分散された４つの分割ベクトル８１５の各々を含み得、以下同様に行われる。
【００９１】
[0098]  各分割ベクトル８１５がシンボル実施形態間の異なる周波数上に割り振られる実施形態では、ＰＡＰＲは、１つのＯＦＤＭシンボル中のブロックレベルの繰り返しと比較して、より低くなり得る。一方、１つ以上のシンボルは、次に続くシンボルとの組み合わせのためにバッファされ得る。例えば、ｓｙｍ１における分割ベクトルＡの第１の繰り返しは、ｓｙｍ２における分割ベクトルＡの第２の繰り返しとの組み合わせのためにバッファされ得る。
【００９２】
[0099]  様々な実施形態では、図示されたシンボルは、並び替えられ得る。例えば、オプション３．１および３．２の第１および第２のシンボルは、反転され得る。４ｘの繰り返しを提供する実施形態では、シンボルは、より高次の繰り返しのために、２４の異なる方法などにおいて並び替えられ得る。入力ベクトル８０５のコード化ビットをシンボルｓｙｍ１およびｓｙｍ２にマッピングした後、インターリービングが任意で適用され、パイロットが挿入され得る。
【００９３】
[00100]  ブロックレベルの繰り返し（例えば、オプション３．１）は、時間ではなく周波数において、分割ベクトル８１５を繰り返す。一方、各分割ベクトル８１５がシンボル間の異なる周波数上に割り振られるシンボルレベルの繰り返し（例えば、オプション３．２）は、周波数と時間の両方において分割ベクトル８１５を繰り返す。いくつかの実施形態では、分割ベクトル８１５は、周波数ではなく時間においてのみ繰り返され得る。
【００９４】
[00101]  図９は、図１のワイヤレス通信システム１００内で用いられ得るワイヤレス通信の例示的な方法についてのフローチャート９００を示す。方法は、図２で示されるワイヤレスデバイス２０２のような、本明細書で説明されるデバイスの全体または一部で実施され得る。図示される方法は、図１に関して上述されるワイヤレス通信システム１００と、図８に関して上述されるシンボルパッキング処理フロー８００とを参照して本明細書で説明されるが、当業者は、図示される方法が本明細書で説明されるものとは別のデバイス、または任意の他の適切なデバイスによって実施され得ることを理解するだろう。図示される方法は特定の順序を参照して本明細書で説明されるが、様々な実施形態では、本明細書のブロック図は、異なる順序で行われるか、あるいは省略され、さらなるブロックが追加され得る。
【００９５】
[00102]  始めに、ブロック９１０において、ワイヤレスデバイスは、複数のシンボルを含むパケットを生成する。様々な実施形態では、複数のシンボルは、第１のデータレートを有する信号フィールドを含み得、パケットはさらに、第１のデータレート以上の第２のデータレートを有するデータ部分を含み得る。例えば、ワイヤレスデバイス２０２は、低レート部分のＨＥ−ＳＩＧ０ ４５５と高レート部分のデータとを含む図７で示されるパケットを生成し得る。いくつかの実施形態では、パケット全体が第１のコーディングレートであり得、ワイヤレス通信システム１００中の１つまたは複数の他のパケットは、第２のコーディングレートであり得る。いくつかの実施形態では、第１および第２のコーディングレートは同じで有り得る（例えば、低レートモード）。他の実施形態では、第２のコーディングレートは、第１のコーディングレートよりも高いものであり得る。いくつかの実施形態では、データ部分を生成することは、ブロック９２０−９４０の処理を含み得る。
【００９６】
[00103]  次に、ブロック９２０において、ワイヤレスデバイスは、順次セグメント化プロシージャまたは分散セグメント化プロシージャのうちの１つに従って、入力ビットベクトルを複数のシンボルベクトルにセグメント化する。例えば、ワイヤレスデバイス２０２は、オプション１．１またはオプション１．２の式に従って図８のステップ１を行い得る。このように、ワイヤレスデバイス２０２は、入力ベクトル８０５を複数のシンボルベクトル８１０にセグメント化し得る。
【００９７】
[00104]  様々な実施形態では、入力ビットベクトルを複数のシンボルベクトルにセグメント化することは、Ｎ個の入力ビットの順次的なグループを各シンボルベクトルに順に割り振ることを含み、ここで、Ｎは、直交周波数分割多重（ＯＦＤＭ）シンボル当たりのビット数である。例えば、ワイヤレスデバイス２０２は、オプション１．１の式に従って図８のステップ１を行い得、ここで、入力ベクトル８０５は、複数のシンボルベクトル８１０に順次切り離される。例えば、シンボルベクトルＸ０は、入力ベクトル８０５の第１のＮビットを含み得、シンボルベクトルＸ１は、入力ベクトル８０５のその次のＮビットを含み得、以下同様に行われる。
【００９８】
[00105]  様々な実施形態では、入力ビットベクトルを複数のシンボルベクトルにセグメント化することは、入力ビットの各々をＩモジュロＫ番目のシンボルベクトルに割り振ることを含み得、ここにおいて、Ｉは各ビットのインデックス番号であり、Ｋは入力ビットベクトルの長さを直交周波数分割多重（ＯＦＤＭ）シンボル当たりのビット数で除算した上限である。例えば、ワイヤレスデバイス２０２は、オプション１．２の式に従って図８のステップ１を行い得、ここで、入力ベクトル８０５のビットは、分散方式でセグメント化される。例えば、シンボルベクトルＸ０の第１のビットは、入力ベクトル８０５の第１のビットを含み得、シンボルベクトルＸ１の第１のビットは、入力ベクトル８０５の２番目のビットを含み得、以下同様に行われる。同様に、シンボルベクトルＸ０の第２のビットは、入力ベクトル８０５の（Ｋ＋１）番目のビットを含み得、シンボルベクトルＸ１の第２のビットは、入力ベクトル８０５の（Ｋ＋２）番目のビットを含み得、以下同様に行われる。分散方式で入力ベクトル８０５からビットを選択することによって、オプション１．１を通じてコーディング利得が得られ得る。
【００９９】
[00106]  次に、ブロック９３０において、ワイヤレスデバイスは、順次分割プロシージャまたはラウンドロビン分割プロシージャのうちの１つに従って、複数のシンボルベクトルの各々を２つ以上の分割ベクトルに分割する。例えば、ワイヤレスデバイス２０２は、オプション２．１またはオプション２．２の式に従って、図８のステップ２を行い得る。このように、ワイヤレスデバイス２０２は、シンボルベクトル８１０を分割ベクトル８１５Ａと８１５Ｂとに（または異なる繰り返し係数に従って多数のベクトルに）分割し得る。
【０１００】
[00107]  様々な実施形態では、複数のシンボルベクトルの各々を２つ以上の分割ベクトルに分割することは、Ｎ／Ｒ個の入力ビットの順次的なグループを各分割ベクトルに順に割り振ることを含み得、ここで、Ｒは繰り返し係数である。例えば、ワイヤレスデバイス２０２は、オプション２．１の式に従って図８のステップ２を行い得、ここで、各シンボルベクトル８１０は、真っ二つに分割される。例えば、分割ベクトル８１５Ａは、シンボルベクトル８１０の第１のＮ／２ビットを含み得、分割ベクトル８１５Ｂは、シンボルベクトル８１０の第２のＮ／２ビットを含み得る。４ｘの繰り返しを提供する実施形態では、第１の分割ベクトルは、シンボルベクトル８１０の第１のＮ／４ビットを含み得、第２の分割ベクトルは、シンボルベクトル８１０のその次のＮ／４ビットを含み得、第３の分割ベクトルは、シンボルベクトル８１０のその次のＮ／４ビットを含み得、第４の分割ベクトルは、シンボルベクトル８１０のその次のＮ／４ビットを含み得、以下同様に行われる。
【０１０１】
[00108]  様々な実施形態では、複数のシンボルベクトルの各々を２つ以上の分割ベクトルに分割することは、各シンボルベクトルの各ビットをＩモジュロＲ番目の分割ベクトルに割り振ることを含み、ここで、Ｒは繰り返し係数であり、Ｉは各ビットのインデックス番号である。例えば、ワイヤレスデバイス２０２は、オプション２．２の式に従って図８のステップ２を行い得、ここで、各シンボルベクトル８１０は、ラウンドロビン方式で分割され得る。例えば、分割ベクトル８１５Ａの第１のビットは、シンボルベクトル８１０の第１のビットを含み得、分割ベクトル８１５Ｂの第１のビットは、シンボルベクトル８１０の第２のビットを含み得、分割ベクトル８１５Ａの第２のビットは、シンボルベクトル８１０の第３のビットを含み得、分割ベクトル８１５Ｂの第２のビットは、シンボルベクトル８１０の第４のビットを含み得、以下同様に行われる。４ｘの繰り返しを提供する実施形態では、第１の分割ベクトルの第１のビットは、シンボルベクトル８１０の第１のビットを含み得、第２の分割ベクトルの第１のビットは、シンボルベクトル８１０の第２のビットを含み得、第３の分割ベクトルの第１のビットは、シンボルベクトル８１０の第３のビットを含み得、第４の分割ベクトルの第１のビットは、シンボルベクトル８１０の第４のビットを含み得、第１の分割ベクトルの第２のビットは、シンボルベクトル８１０の第５のビットを含み得、以下同様に行われる。
【０１０２】
[00109]  その後、ブロック９４０において、ワイヤレスデバイスは、ブロックレベルの繰り返しまたはシンボルレベルの繰り返しのうちの１つに従って、分割ベクトルの各々を複数のシンボルにマッピングする。例えば、ワイヤレスデバイス２０２は、オプション３．１またはオプション１．２の式に従って、図８のステップ３を行い得る。このように、ワイヤレスデバイス２０２は、分割ベクトル８１５Ａおよび８１５Ｂの各々を、２ｘ、４ｘ、または別の繰り返し係数で時間−周波数領域にマッピングし得る。
【０１０３】
[00110]  様々な実施形態では、分割ベクトルの各々を複数のシンボルにマッピングすることは、周波数領域中で、分割ベクトルの各々を単一の時間領域シンボルにわたって繰り返すことを含み得る。例えば、ワイヤレスデバイス２０２は、オプション３．１の式に従って図８のステップ３を行い得、ここで、各シンボルは、周波数領域中のブロックレベルの繰り返しを含む。例えば、第１のシンボル（ｓｙｍ１）は、周波数領域中で繰り返された、第１の分割ベクトル８１５Ａを含み得、第２のシンボル（ｓｙｍ２）は、周波数領域中で繰り返された、第２の分割ベクトル８１５Ｂを含み得る。２ｘの繰り返しが示されているが、４ｘの繰り返しを提供する実施形態では、第１のシンボルは、周波数領域中で第１の分割ベクトル４ｘを繰り返し得、第２のシンボルは、周波数領域中で第２の分割ベクトル４ｘを繰り返し得、第３のシンボルは、周波数領域中で第３の分割ベクトル４ｘを繰り返し得、第４のシンボルは、周波数領域中で第４の分割ベクトル４ｘを繰り返し得、以下同様に行われる。
【０１０４】
[00111]  様々な実施形態では、ワイヤレスデバイスは、スクランブリングシーケンスを各分割ベクトルの１つのコピーに適用し得る。スクランブリングシーケンスＳは、ＰＡＰＲ分散を最小化または低減するために選択された±１のシーケンスであり得る。例えば、ワイヤレスデバイス２０２は、繰り返された分割ベクトル８１５Ａのうちの１つをスクランブリングシーケンスＳによって乗算し（例えば、Ａ’＝Ａ．＊Ｓ）、および繰り返された分割ベクトル８１５Ｂのうちの１つをスクランブリングシーケンスＳによって乗算（例えば、Ｂ’＝Ｂ．＊Ｓ）し得る。
【０１０５】
[00112]  様々な実施形態では、分割ベクトルの各々を複数のシンボルにマッピングすることは、周波数領域中で、分割ベクトルの各々を複数の時間領域シンボルにわたって繰り返すことを含み得る。例えば、ワイヤレスデバイス２０２は、オプション３．２の式に従って図８のステップ２を行い得、ここで、各分割ベクトル８１５は、シンボル間の異なる周波数上に割り振られる。例えば、第１のシンボル（ｓｙｍ１）は、周波数領域中に分散された、第１の分割ベクトル８１５Ａと第２の分割ベクトル８１５Ｂとを含み得、第２のシンボル（ｓｙｍ２）は、周波数領域中で反転された、繰り返された第２の分割ベクトル８１５Ｂと繰り返された第１の分割ベクトル８１５Ａとを含み得る。２ｘの繰り返しが示されているが、４ｘの繰り返しを提供する実施形態では、第１のシンボルは、周波数領域中に分散された４つの分割ベクトルの各々を含み得、第２のシンボルは、周波数領域中に異なって分散された４つの分割ベクトルの各々を含み得、第３のシンボルは、周波数領域中に異なって分割された４つの分割ベクトル８１５の各々を含み得、第４のシンボルは、周波数領域中に異なって分散された４つの分割ベクトル８１５の各々を含み得、以下同様に行われる。
【０１０６】
[00113]  様々な実施形態では、分割ベクトルの各々を複数のシンボルにマッピングすることは、分割ベクトルの各々を、複数の時間領域シンボルにわたって繰り返すことを含む。例えば、ワイヤレスデバイス２０２は、図８のｓｙｍ１およびｓｙｍ２の両方にわたって同じ帯域幅を通じて分割ベクトル８１５Ａを繰り返し得る。
【０１０７】
[00114]  その後、ワイヤレスデバイスは、パケットを送信する。例えば、プロセッサ２０４は、メモリ２０６とともに、送信のためにアンテナ２１６を介して送信機２１０に図７のパケットを提供し得る。ある実施形態では、ＡＰ １０４は、パケットをＳＴＡ １０６に送信し得る。別の実施形態では、ＳＴＡ １０６は、パケットをＡＰ １０４または別のＳＴＡに送信し得る。
【０１０８】
[00115]  ある実施形態では、図９で示される方法は、生成回路、セグメント化回路、分割回路、マッピング回路、および送信回路を含み得るワイヤレスデバイス中で実施され得る。当業者は、ワイヤレスデバイスが本明細書で説明される簡略化されたワイヤレスデバイスよりも多くのコンポーネントを有し得ることを理解するだろう。本明細書で説明されるワイヤレスデバイスは、ある特定の実装のうちのいくつかの特徴を説明するのに有用なコンポーネントを含む。
【０１０９】
[00116]  生成回路は、パケットを生成するように構成され得る。いくつかの実施形態では、生成回路は、少なくとも図９のブロック９１０を行うように構成され得る。生成回路は、プロセッサ２０４（図２）、メモリ２０６（図２）、およびＤＳＰ ２２０（図２）のうちの１つまたは複数を含み得る。いくつかの実装では、生成するための手段は、生成回路を含み得る。
【０１１０】
[00117]  セグメント化回路は、入力ビットベクトルをセグメント化するように構成され得る。いくつかの実施形態では、セグメント化回路は、少なくとも図９のブロック９２０を行うように構成され得る。セグメント化回路は、プロセッサ２０４（図２）、メモリ２０６（図２）、およびＤＳＰ ２２０（図２）のうちの１つまたは複数を含み得る。いくつかの実装では、セグメント化するための手段は、セグメント化回路を含み得る。
【０１１１】
[00118]  分割回路は、シンボルベクトルを分割するように構成され得る。いくつかの実施形態では、分割回路は、少なくとも図９のブロック９３０を行うように構成され得る。分割回路は、プロセッサ２０４（図２）、メモリ２０６（図２）、およびＤＳＰ ２２０（図２）のうちの１つまたは複数を含み得る。いくつかの実装では、分割するための手段は、分割回路を含み得る。
【０１１２】
[00119]  マッピング回路は、周波数ダイバーシティを用いてシンボルをマッピングするように構成され得る。いくつかの実施形態では、マッピング回路は、少なくとも図９のブロック９４０を行うように構成され得る。マッピング回路は、プロセッサ２０４（図２）、メモリ２０６（図２）、およびＤＳＰ ２２０（図２）のうちの１つまたは複数を含み得る。いくつかの実装では、マッピングするための手段は、マッピング回路を含み得る。
【０１１３】
[00120]  送信回路は、第１および第２のメッセージを一緒に送信するように構成され得る。いくつかの実施形態では、送信回路は、少なくとも図９のブロック９５０を行うように構成され得る。送信回路は、送信機２１０（図２）、アンテナ２１６（図２）、およびトランシーバ２１４（図２）のうちの１つまたは複数を含み得る。いくつかの実装では、送信するための手段は、送信回路を含み得る。
【０１１４】
[00121]  当業者は、情報および信号が様々な異なる技術および技法のうちのいずれかを使用して表され得ることを理解するだろう。例えば、上記の説明の全体を通して参照され得る、データ、命令、コマンド、情報、信号、ビット、シンボル、およびチップは、電圧、電流、電磁波、磁場または磁粒子、光場または光学粒子、あるいはそれらの任意の組み合わせによって表わされ得る。
【０１１５】
[00122］  本開示で説明される実装に対する様々な変更は、当業者に対して容易に明らかとなり、本明細書で定義される一般的な原理は、本開示の精神または範囲から逸脱することなく他の実装に適用され得る。よって、本開示は、本明細書で示される実装に限定されることを意図するものではなく、本明細書で開示される請求項、原理、および新規の特徴と一致する最も広い範囲が付与されるべきものである。「例示的な」という用語は、「例、事例、または実例の役割を果たすこと」を意味するように本明細書では排他的に使用される。「例示的」であるとして本明細書で説明されるいずれの実装も、他の実装よりも好ましいまたは有利であるとして必ずしも解釈されるべきではない。
【０１１６】
[00123]  別個の実装との関連で本明細書において説明されるある特定の特徴もまた、単一の実装において組み合わせて実施され得る。反対に、単一の実装との関連で説明される複数の様々な特徴もまた、別個に複数の実装で、または任意の適切なサブコンビネーションで実施され得る。さらに、特徴は、ある特定の組み合わせで動作するように上記で説明され得、最初にもそのように特許請求されるが、特許請求される組み合わせからの１つまたは複数の特徴は、いくつかの場合にはその組み合わせから削除され、特許請求される組み合わせは、サブコンビネーション、またはサブコンビネーションのバリエーションに向けられ得る。
【０１１７】
[00124]  上述された方法の様々な動作は、様々なハードウェアおよび／またはソフトウェアコンポーネント、回路、および／またはモジュールのような、それら動作を行うことができる任意の適切な手段によって行われ得る。一般に、図面で図示される任意の動作は、これら動作を行うことができる対応する機能的な手段によって行われ得る。
【０１１８】
[00125]  本開示に関連して説明される様々な例示的な論理ブロック、モジュール、および回路は、本明細書で説明される機能を実行するように設計された、汎用プロセッサ、デジタル信号プロセッサ（ＤＳＰ）、特定用途向け集積回路（ＡＳＩＣ）、フィールドプログラマブルゲートアレイ信号（ＦＰＧＡ）、または他のプログラマブル論理デバイス（ＰＬＤ）、離散ゲートまたはトランジスタ論理、離散ハードウェアコンポーネント、またはそれらの任意の組み合わせで実装または実行され得る。汎用プロセッサは、マイクロプロセッサであり得るが、代替的に、このプロセッサは、任意の商業的に利用可能なプロセッサ、コントローラ、マイクロコントローラ、またはステートマシンであり得る。プロセッサはまた、例えば、ＤＳＰとマイクロプロセッサの組み合わせ、複数のマイクロプロセッサ、ＤＳＰコアと連結した１つまたは複数のマイクロプロセッサ、あるいは任意の他のこのような構成などのような、コンピューティングデバイスの組み合わせとして実装され得る。
【０１１９】
[00126]  １つまたは複数の態様では、説明される機能は、ハードウェア、ソフトウェア、ファームウェア、またはそれらの任意の組み合わせで実装され得る。ソフトウェアで実装される場合に、機能は、１つまたは複数の命令またはコードとして、コンピュータ可読媒体上に記憶されるか、それを介して送信され得る。コンピュータ可読媒体は、コンピュータ記憶媒体と、１つの場所から別の場所へのコンピュータプログラムの転送を容易にする任意の媒体を含む通信媒体との両方を含む。記憶媒体は、コンピュータによってアクセスされ得る任意の利用可能な媒体であり得る。限定されないが、例として、そのようなコンピュータ可読媒体は、ＲＡＭ、ＲＯＭ、ＥＥＰＲＯＭ（登録商標）、ＣＤ−ＲＯＭまたは他の光学ディスク記憶装置、磁気ディスク記憶装置または他の磁気記憶デバイス、あるいは、命令またはデータ構造の形式で所望のプログラムコードを搬送または記憶するために使用され得、コンピュータによってアクセスされ得る任意の他の媒体を含み得る。また、任意の接続は、正確にはコンピュータ可読媒体と称される。例えば、ソフトウェアが、ウェブサイト、サーバ、または、同軸ケーブル、光ファイバーケーブル、ツイストペア、デジタル加入者ライン（ＤＳＬ）、あるいは赤外線、無線、およびマイクロ波のようなワイヤレス技術を使用する他の遠隔ソースから送信される場合には、同軸ケーブル、光ファイバーケーブル、ツイストペア、ＤＳＬ、または赤外線、無線、およびマイクロ波のようなワイヤレス技術は、媒体の定義に含まれる。本明細書で使用される際に、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスク、およびブルーレイ（登録商標）ディスクを含み、ここで、ディスク（disks）は、通常磁気的にデータを再生し、一方ディスク（discs）は、レーザーを用いて光学的にデータを再生する。よって、いくつかの態様では、コンピュータ可読媒体は、非一時的なコンピュータ可読媒体（例えば、有形媒体）を含み得る。加えて、いくつかの態様では、コンピュータ可読媒体は、一時的なコンピュータ可読媒体（例えば、信号）を含み得る。上記の組み合わせもまた、コンピュータ可読媒体の範囲内に含まれ得る。
【０１２０】
[00127]  本明細書で開示される方法は、説明される方法を達成するための１つまたは複数のステップまたは動作を含み得る。方法のステップおよび／または動作は、特許請求の範囲から逸脱することなく互いに置き換えられ得る。言い換えると、ステップまたは動作の特定の順序が指定されない限り、特定のステップおよび／または動作の順序および／または使用は、特許請求の範囲から逸脱せずに変更され得る。
【０１２１】
[00128]  さらに、本明細書で説明される方法および技法を行うためのモジュールおよび／または他の適切な手段は、適宜、ユーザ端末および／または基地局によってダウンロードされるおよび／またはそうでなければ取得され得ることが理解され得る。例えば、このようなデバイスは、本明細書で説明される方法を実行するための手段の転送を容易にするためにサーバに結合され得る。代替的に、本明細書で説明される様々な方法は、ユーザ端末および／または基地局が記憶手段をデバイスに結合または提供する際に様々な方法を取得し得るように、記憶手段（例えば、ＲＡＭ、ＲＯＭ、コンパクトディスク（ＣＤ）またはフロッピーディスクのような物理記憶媒体など）を介して提供され得る。さらに、本明細書で説明される方法および技法をデバイスに提供するために、任意の他の適切な技法が利用され得る。
【０１２２】
[00129]  上記は、本開示の態様に向けられているが、本開示の他のおよびさらなる態様が、これらの基本的な範囲から逸脱することなく考案されることができ、その範囲は、下記の請求項によって決定され得る。
【図１】
2020188468.tif 000003
【図２】
2020188468.tif 000004
【図３】
2020188468.tif 000005
【図４】
2020188468.tif 000006
【図５】
2020188468.tif 000007
【図６】
2020188468.tif 000008
【図７】
2020188468.tif 000009
【図８】
2020188468.tif 000010
【図９】
2020188468.tif 000011
【手続補正書】
【提出日】令和2年8月7日(2020.8.7)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ワイヤレスデバイスで、複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと、
前記パケットを送信することと
を備える、方法。
【手続補正２】
【補正対象書類名】明細書
【補正対象項目名】０１２２
【補正方法】変更
【補正の内容】
【０１２２】
[00129]  上記は、本開示の態様に向けられているが、本開示の他のおよびさらなる態様が、これらの基本的な範囲から逸脱することなく考案されることができ、その範囲は、下記の請求項によって決定され得る。
以下に、本願出願の当初の特許請求の範囲に記載された発明を付記する。
［Ｃ１］
ワイヤレス通信の方法であって、
ワイヤレスデバイスで、複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと、
前記パケットを送信することと
を備える、方法。
［Ｃ２］
前記複数のシンボルは、第１のデータレートを有する信号フィールドを備え、前記パケットは、前記第１のデータレート以上の第２のデータレートを有するデータ部分をさらに備える、
［Ｃ１］に記載の方法。
［Ｃ３］
前記入力ビットベクトルを前記複数のシンボルベクトルにセグメント化することは、Ｎ個の入力ビットの順次的なグループを各シンボルベクトルに順に割り振ることを備え、Ｎは、直交周波数分割多重（ＯＦＤＭ）シンボル当たりのビット数である、
［Ｃ１］に記載の方法。
［Ｃ４］
前記入力ビットベクトルを前記複数のシンボルベクトルにセグメント化することは、入力ビットの各々をＩモジュロＫ番目のシンボルベクトルに割り振ることを備え、Ｉは、各ビットのインデックス番号であり、Ｋは、前記入力ビットベクトルの長さを直交周波数分割多重（ＯＦＤＭ）シンボル当たりのビット数で除算した上限である、
［Ｃ１］に記載の方法。
［Ｃ５］
前記複数のシンボルベクトルの各々を２つ以上の分割ベクトルに分割することは、Ｎ／Ｒ個の入力ビットの順次的なグループを各分割ベクトルに順に割り振ることを備え、ここで、Ｒは、繰り返し係数である、
［Ｃ１］に記載の方法。
［Ｃ６］
前記複数のシンボルベクトルの各々を２つ以上の分割ベクトルに分割することは、各シンボルベクトルの各ビットを前記ＩモジュロＲ番目の分割ベクトルに割り振ることを備え、ここで、Ｒは、繰り返し係数であり、Ｉは、各ビットのインデックス番号である、
［Ｃ１］に記載の方法。
［Ｃ７］
前記分割ベクトルの各々を前記複数のシンボルにマッピングすることは、前記周波数領域中で、前記分割ベクトルの各々を単一の時間領域シンボルにわたって繰り返すことを備える、
［Ｃ１］に記載の方法。
［Ｃ８］
スクランブリングシーケンスを各分割ベクトルの１つのコピーに適用することをさらに備える、
［Ｃ７］に記載の方法。
［Ｃ９］
前記分割ベクトルの各々を前記複数のシンボルにマッピングすることは、前記周波数領域中で、前記分割ベクトルの各々を複数の時間領域シンボルにわたって繰り返すことを備える、
［Ｃ１］に記載の方法。
［Ｃ１０］
前記分割ベクトルの各々を前記複数のシンボルにマッピングすることは、前記分割ベクトルの各々を、複数の時間領域シンボルにわたって繰り返すことを備える、
［Ｃ１］に記載の方法。
［Ｃ１１］
ワイヤレス通信を行うように構成される装置であって、
複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと
を行うように構成されたプロセッサと、
前記パケットを送信するように構成された送信機と
を備える、装置。
［Ｃ１２］
前記複数のシンボルは、第１のデータレートを有する信号フィールドを備え、前記パケットは、前記第１のデータレート以上の第２のデータレートを有するデータ部分をさらに備える、
［Ｃ１１］に記載の装置。
［Ｃ１３］
前記プロセッサは、Ｎ個の入力ビットの順次的なグループを各シンボルベクトルに順に割り振るように構成されることによって、前記入力ビットベクトルを前記複数のシンボルベクトルにセグメント化するように構成され、Ｎは、直交周波数分割多重（ＯＦＤＭ）シンボル当たりのビット数である、
［Ｃ１１］に記載の装置。
［Ｃ１４］
前記プロセッサは、入力ビットの各々をＩモジュロＫ番目のシンボルベクトルに割り振るように構成されることによって、前記入力ビットベクトルを前記複数のシンボルベクトルにセグメント化するように構成され、Ｉは、各ビットのインデックス番号であり、Ｋは、前記入力ビットベクトルの長さを直交周波数分割多重（ＯＦＤＭ）シンボル当たりのビット数で除算した上限である、
［Ｃ１１］に記載の装置。
［Ｃ１５］
前記プロセッサは、Ｎ／Ｒ個の入力ビットの順次的なグループを各分割ベクトルに順に割り振るように構成されることによって、前記複数のシンボルベクトルの各々を２つ以上の分割ベクトルに分割するように構成され、ここで、Ｒは、繰り返し係数である、
［Ｃ１１］に記載の装置。
［Ｃ１６］
前記プロセッサは、各シンボルベクトルの各ビットを前記ＩモジュロＲ番目の分割ベクトルに割り振るように構成されることによって、前記複数のシンボルベクトルの各々を２つ以上の分割ベクトルに分割するように構成され、ここで、Ｒは繰り返し係数であり、Ｉは各ビットのインデックス番号である、
［Ｃ１１］に記載の装置。
［Ｃ１７］
前記プロセッサは、前記周波数領域中で、前記分割ベクトルの各々を単一の時間領域シンボルにわたって繰り返すように構成されることによって、前記分割ベクトルの各々を前記複数のシンボルにマッピングするように構成される、
［Ｃ１１］に記載の装置。
［Ｃ１８］
前記プロセッサは、スクランブリングシーケンスを各分割ベクトルの１つのコピーに適用するようにさらに構成される、
［Ｃ１７］に記載の装置。
［Ｃ１９］
前記プロセッサは、前記周波数領域中で、前記分割ベクトルの各々を複数の時間領域シンボルにわたって繰り返すように構成されることによって、前記分割ベクトルの各々を前記複数のシンボルにマッピングするように構成される、
［Ｃ１１］に記載の装置。
［Ｃ２０］
前記プロセッサは、前記分割ベクトルの各々を、複数の時間領域シンボルにわたって繰り返すように構成されることによって、前記分割ベクトルの各々を前記複数のシンボルにマッピングするように構成される、
［Ｃ１１］に記載の装置。
［Ｃ２１］
ワイヤレス通信のための装置であって、
複数のシンボルを備えるパケットを生成するための手段と、
順次セグメント化プロシージャまたは分散セグメント化プロシージャのうちの１つに従って、入力ビットベクトルを複数のシンボルベクトルにセグメント化するための手段と、
順次分割プロシージャまたはラウンドロビン分割プロシージャのうちの１つに従って、前記複数のシンボルベクトルの各々を２つ以上の分割ベクトルに分割するための手段と、
ブロックレベルの繰り返しまたはシンボルレベルの繰り返しのうちの１つに従って、前記分割ベクトルの各々を前記複数のシンボルにマッピングするための手段と、
前記パケットを送信するための手段と
を備える、装置。
［Ｃ２２］
非一時的コンピュータ可読媒体であって、実行される場合、装置に、
複数のシンボルを備えるパケットを生成することと、
順次セグメント化プロシージャまたは分散セグメント化プロシージャのうちの１つに従って、入力ビットベクトルを複数のシンボルベクトルにセグメント化することと、
順次分割プロシージャまたはラウンドロビン分割プロシージャのうちの１つに従って、前記複数のシンボルベクトルの各々を２つ以上の分割ベクトルに分割することと、
ブロックレベルの繰り返しまたはシンボルレベルの繰り返しのうちの１つに従って、前記分割ベクトルの各々を前記複数のシンボルにマッピングすることと、
前記パケットを送信することと
を行わせるコードを備える、非一時的コンピュータ可読媒体。
【外国語明細書】
2020188468000001.pdf